(57)【要約】【課題】絞り羽根の枚数を増加させ易く、且つ、絞り羽根及び漏光防止羽根の重なり順を維持できる絞り装置を提供する。【解決手段】絞り装置１０は、第１固定ボス１２０及び第１平面板１０２の他方の面から第２方向の側に突出した移動ボス１３０を有する絞り羽根１００と、第２固定ボス２２０を有し絞り羽根１００と共に一対をなす漏光防止羽根２００と、第１カム溝３３０が形成された駆動環３００と、絞り羽根１００、漏光防止羽根２００及び駆動環３００を収容する収容体４００と、を備える。漏光防止羽根２００には第２カム溝２３０が更に設けられ、絞り羽根１００の移動ボス１３０は、漏光防止羽根２００の第２カム溝２３０に嵌挿され、且つ、駆動環３００の第１カム溝３３０に嵌挿される。漏光防止羽根２００は、第２固定ボス２２０よりも他方側に延びた漏光防止羽根延設部２５０を有する。【選択図】図３
2019113602.tif 000002
【特許請求の範囲】
【請求項１】
複数の羽根を光軸に対して進退させることにより絞り開口の開口径を変化させる絞り装置であって、
第１平面板からなり、当該絞り装置の開口に入射する光を遮る第１羽根部と、前記第１平面板の一方の面から前記光軸に沿った第１方向の側に突出した第１固定ボスと、前記第１平面板の他方の面から前記第１方向とは逆方向の第２方向の側に突出した移動ボスとを有する絞り羽根と、
第２平面板からなり、当該絞り装置の前記絞り開口以外の漏光部を遮光する第２羽根部と、前記第２平面板の一方の面から前記第１方向の側に突出した第２固定ボスとを有し、前記絞り羽根と共に一対をなす漏光防止羽根と、
前記移動ボスが嵌挿され、カム溝の位置により前記光軸との距離が異なる第１カム溝を有し、前記光軸を中心に回転することで、前記第１カム溝を、前記光軸を中心とする周方向に移動させる駆動環と、
前記絞り羽根、前記漏光防止羽根及び前記駆動環を収容する収容体と、を備え、
前記絞り装置は、一対をなす前記絞り羽根及び前記漏光防止羽根を複数対備え、前記駆動環には、前記移動ボス毎に対応して前記第１カム溝が複数形成され、
前記収容体には、各前記一対をなす前記絞り羽根及び前記漏光防止羽根に対応して前記第１固定ボス及び前記第２固定ボスがそれぞれ挿入される一対の第１孔及び第２孔が前記絞り羽根及び前記漏光防止羽根の対数設けられ、
前記漏光防止羽根には第２カム溝が更に設けられ、
前記絞り羽根の前記移動ボスは、前記漏光防止羽根の前記第２カム溝に嵌挿され、且つ、前記駆動環の前記第１カム溝に嵌挿されており、
前記漏光防止羽根の前記第２平面板において前記第２固定ボスからみて前記第２羽根部が位置する側を一方側としたときに、前記漏光防止羽根は、前記第２固定ボスよりも他方側に延びた漏光防止羽根延設部を更に有することを特徴とする絞り装置。
【請求項２】
請求項１に記載の絞り装置において、
前記第２方向を上と定義したときに、当該一対をなす前記絞り羽根及び前記漏光防止羽根の当該絞り羽根、当該一対をなす前記絞り羽根及び前記漏光防止羽根の当該漏光防止羽根、当該一対をなす前記絞り羽根及び前記漏光防止羽根の隣に位置する次の一対をなす前記絞り羽根及び前記漏光防止羽根の前記絞り羽根、並びに、前記次の一対をなす前記絞り羽根及び前記漏光防止羽根の前記漏光防止羽根が、この順番で上に重ねられるようにして配置されており、
前記絞り装置を前記光軸に沿って視たときに、
前記次の一対をなす前記絞り羽根及び前記漏光防止羽根の前記絞り羽根の外側輪郭の一部は、当該一対をなす前記絞り羽根及び前記漏光防止羽根の当該漏光防止羽根と常に重なり合っており、
前記絞り開口の前記開口径が最小となった際には、前記次の一対をなす前記絞り羽根及び前記漏光防止羽根の絞り羽根の前記外側輪郭の一部が、当該一対をなす前記絞り羽根及び前記漏光防止羽根の当該漏光防止羽根の前記漏光防止羽根延設部と重なり合うことを特徴とする絞り装置。
【請求項３】
請求項１又は２に記載の絞り装置において、
前記絞り羽根は、全体として長軸を有する長尺状の前記第１平面板からなり、
前記絞り羽根において、前記第１平面板の長軸方向の一方側には前記第１固定ボスが設けられ、他方側には絞り羽根延設部が設けられており、
前記絞り羽根延設部は、前記絞り開口の前記開口径が最大となったときの前記絞り開口の形状の一部と略同一の形状にて形成された内周縁を有し、
前記絞り羽根延設部のうち、少なくとも前記内周縁よりも外周側の一部は、常に前記収容体の内周縁である収容体内周縁又は、常に駆動環の内周縁である駆動環内周縁よりも外側に位置するように構成されており、
前記絞り装置を前記光軸に沿って視たときに、
当該絞り羽根の前記絞り羽根延設部の少なくとも一部は、当該絞り羽根の前記第１固定ボスからみて前記光軸を挟んだ反対側に位置する前記漏光防止羽根の上に常に重なっており、
前記絞り開口の前記開口径が最大となった際には、当該絞り羽根の前記絞り羽根延設部の一部は、前記反対側に位置する前記漏光防止羽根の前記漏光防止羽根延設部の上に重なることを特徴とする絞り装置。
【請求項４】
複数の羽根を光軸に対して進退させることにより絞り開口の開口径を変化させる絞り装置であって、
第１平面板からなり、当該絞り装置の開口に入射する光を遮る第１羽根部と、前記第１平面板の一方の面から前記光軸に沿った第１方向の側に突出した第１固定ボスと、前記第１平面板の他方の面から前記第１方向とは逆方向の第２方向の側に突出した移動ボスとを有する絞り羽根と、
第２平面板からなり、当該絞り装置の前記絞り開口以外の漏光部を遮光する第２羽根部と、前記第２平面板の一方の面から前記第１方向の側に突出した第２固定ボスとを有し、前記絞り羽根と共に一対をなす漏光防止羽根と、
前記移動ボスが嵌挿され、カム溝の位置により前記光軸との距離が異なる第１カム溝を有し、前記光軸を中心に回転することで、前記第１カム溝を、前記光軸を中心とする周方向に移動させる駆動環と、
前記絞り羽根、前記漏光防止羽根及び前記駆動環を収容する収容体と、を備え、
前記絞り装置は、一対をなす前記絞り羽根及び前記漏光防止羽根を複数対備え、前記駆動環には、前記移動ボス毎に対応して前記第１カム溝が複数形成され、
前記収容体には、各前記一対をなす前記絞り羽根及び前記漏光防止羽根に対応して前記第１固定ボス及び前記第２固定ボスがそれぞれ挿入される一対の第１孔及び第２孔が前記絞り羽根及び前記漏光防止羽根の対数設けられ、
前記漏光防止羽根には第２カム溝が更に設けられ、
前記絞り羽根の前記移動ボスは、前記漏光防止羽根の前記第２カム溝に嵌挿され、且つ、前記駆動環の前記第１カム溝に嵌挿されており、
前記絞り装置は、前記漏光防止羽根と前記絞り羽根との中間に配置される中間羽根を更に備え、
前記第２方向を上と定義したときに、当該一対をなす前記絞り羽根及び前記漏光防止羽根の当該絞り羽根、当該一対をなす前記絞り羽根及び前記漏光防止羽根の当該漏光防止羽根、前記中間羽根、当該一対をなす前記絞り羽根及び前記漏光防止羽根の隣に位置する次の一対をなす前記絞り羽根及び前記漏光防止羽根の前記絞り羽根、並びに、前記次の一対をなす前記絞り羽根及び前記漏光防止羽根の前記漏光防止羽根が、この順番で上に重ねられるようにして配置されており、
前記絞り装置を前記光軸に沿って視たときに、前記中間羽根と前記当該一対をなす前記絞り羽根及び前記漏光防止羽根の当該漏光防止羽根とは常に重なり合っており、且つ、前記中間羽根と前記次の一対をなす前記絞り羽根及び前記漏光防止羽根の前記絞り羽根とは常に重なり合っていることを特徴とする絞り装置。
【請求項５】
請求項４に記載の絞り装置において、
前記中間羽根は、前記絞り羽根及び前記漏光防止羽根の動きを干渉しないようにして前記収容体に対し固定されていることを特徴とする絞り装置。
【請求項６】
請求項４又は５に記載の絞り装置において、
前記絞り羽根は、全体として長軸を有する長尺状の前記第１平面板からなり、
前記絞り羽根において、前記第１平面板の長軸方向の一方側には前記第１固定ボスが設けられ、他方側には絞り羽根延設部が設けられており、
前記絞り羽根延設部は、前記絞り開口の前記開口径が最大となったときの前記絞り開口の形状の一部と略同一の形状にて形成された内周縁を有し、
前記絞り羽根延設部のうち、少なくとも前記内周縁よりも外周側の一部は、常に前記収容体の内周縁である収容体内周縁又は、常に駆動環の内周縁である駆動環内周縁よりも外側に位置するように構成されており、
前記絞り装置を前記光軸に沿って視たときに、
前記絞り開口の前記開口径が最小となった際には、当該絞り羽根の前記絞り羽根延設部の一部は、当該絞り羽根の前記第１固定ボスからみて前記光軸を挟んだ反対側に位置する前記漏光防止羽根の上に重なり、
前記絞り開口の前記開口径が最小から最大に遷移する過程において、当該絞り羽根の前記絞り羽根延設部の一部は、当該絞り羽根の前記第１固定ボスからみて前記光軸を挟んだ反対側に位置する前記中間羽根の上に重なることを特徴とする絞り装置。
【請求項７】
請求項１〜６のいずれかに記載の絞り装置において、
前記絞り羽根は、全体として長軸を有する長尺状の前記第１平面板からなり、
前記絞り羽根において、前記第１平面板の長軸方向の一方側には前記第１固定ボスが設けられ、他方側には絞り羽根延設部が設けられており、
前記絞り羽根延設部は、前記絞り開口の前記開口径が最大となったときの前記絞り開口の形状の一部と略同一の形状にて形成された内周縁を有し、
前記絞り羽根延設部には、常に前記収容体の内周縁である収容体内周縁又は、常に駆動環の内周縁である駆動環内周縁よりも外側に位置して前記収容体内周縁に係合するように構成された係合用凸部が更に設けられていることを特徴とする絞り装置。
【請求項８】
請求項１〜７のいずれかに記載の絞り装置及びレンズが収容されたレンズ鏡筒。
【請求項９】
請求項１〜７のいずれかに記載の絞り装置又は請求項８に記載のレンズ鏡筒を備えた撮像装置又は投影装置。
【発明の詳細な説明】
【技術分野】
【０００１】
本発明は、絞り装置、レンズ鏡筒及び撮像装置又は投影装置に関する。
【背景技術】
【０００２】
カメラ等の撮像装置において、結像面に入射する被写体光の光量を調節する絞り装置が用いられている。絞り装置には、円環状の収容体が備えられている。絞り開口の開口径が最大（フル開放）にされたときに、絞り羽根は収容体の幅内に退避させられる。したがって、収容体の幅は、絞り羽根の退避スペースとして、少なくとも絞り羽根の幅以上の幅を確保しなければならない。
絞り装置を小型化するため、かかる絞り羽根の退避スペースを狭くすべく、絞り羽根の幅自体を狭くする取り組み（絞り羽根の幅狭化）が従来よりなされている。
しかし、絞り羽根の幅狭化を進めると、絞り開口以外の部分で漏光し易いという問題を生じることが知られている。
【０００３】
この漏光の問題を解決するため、絞り羽根に加えて漏光防止羽根を導入し、この漏光防止羽根によって漏光の原因となっている隙間を埋める構成とした絞り装置が従来から知られている（例えば、特許文献１参照。）。
【０００４】
図１４は、従来の絞り装置９００を説明するために示す平面図である。図１４（ａ）は絞り装置９００を光軸ＯＡに沿って平面視したときの平面図である。図１４（ａ）において、漏光防止羽根９２０が突出した状況のみ示し、絞り羽根９１０の図示は省略している。図１４（ｂ）は絞り羽根９１０を、図１４（ｃ）は漏光防止羽根９２０を、図１４（ｄ）は収容体９４０をそれぞれ示す平面図である。
【０００５】
従来の絞り装置９００は、図１４に示すように、複数の羽根を光軸ＯＡに対して進退させることにより絞り開口の開口径を変化させる絞り装置９００であって、絞り羽根本体９１１、絞り羽根本体９１１の一方の面から光軸ＯＡに沿った第１方向の側に突出した絞り羽根固定ボス９１２、及び、絞り羽根本体９１１の他方の面から第１方向とは逆方向の第２方向の側に突出した絞り羽根移動ボス９１３を有する絞り羽根９１０と、漏光防止羽根本体９２１、漏光防止羽根本体９２１の一方の面から第１方向の側に突出した漏光防止羽根固定ボス９２２、及び、漏光防止羽根本体９２１の他方の面から第２方向の側に突出した漏光防止羽根移動ボス９２３を有し、上記絞り羽根９１０と共に一対をなす漏光防止羽根９２０と、移動ボスが嵌挿され、溝の位置により光軸ＯＡとの距離が異なるカム溝９３３を有し、光軸ＯＡを中心に回転することで、カム溝９３３を、光軸ＯＡを中心とする周方向に移動させる駆動環９３０と、絞り羽根９１０、漏光防止羽根９２０及び駆動環９３０を収容する収容体９４０と、を備え、当該絞り装置９００は、一対をなす絞り羽根９１０及び漏光防止羽根９２０を複数対備え（図１４における従来の絞り装置９００では６対備えている。）、駆動環９３０には、該一対をなす絞り羽根９１０及び漏光防止羽根９２０の対数に対応した数だけ、カム溝９３３が形成され、収容体９４０には、該一対をなす絞り羽根９１０及び漏光防止羽根９２０に対応して絞り羽根固定ボス９１２及び漏光防止羽根固定ボス９２２がそれぞれ挿入される一対の第１孔９４１ｊ及び第２孔９４２ｊが絞り羽根及び漏光防止羽根の対数設けられ、積層された一対をなす絞り羽根９１０及び漏光防止羽根９２０は、一のカム溝９３３に対して、絞り羽根移動ボス９１３及び漏光防止羽根移動ボス９２３がそれぞれ嵌挿されている（ただし、ｊは１以上の整数。）。
【０００６】
従来の絞り装置９００によれば、絞り羽根を駆動させるための既存の基本構造（収容体、駆動環等）をそのまま借用して漏光防止羽根９２０を追加することができ、絞り羽根の幅狭化に伴う漏光を防ぐことができる。
【先行技術文献】
【特許文献】
【０００７】
【特許文献１】特開平５−１１３５９１号公報
【発明の概要】
【発明が解決しようとする課題】
【０００８】
（１）しかしながら、従来の絞り装置９００は、一のカム溝９３３に対して絞り羽根移動ボス９１３及び漏光防止羽根移動ボス９２３がそれぞれ嵌挿された構造となっており、一のカム溝９３３により２種類の羽根（絞り羽根９１０及び漏光防止羽根９２０）を駆動している。したがって、カム溝９３３の長さとしては、絞り羽根９１０を駆動させるための長さに加えて、漏光防止羽根９２０も駆動させるための長さも必要となる。
つまり、カム溝９３３においては、絞り羽根９１０を駆動するための溝の部分と漏光防止羽根９２０を駆動するための溝の部分とを設ける必要があり、いずれか一方の羽根のみを駆動するための溝のみを設ける構成に比べて、延べ長さが長いカム溝が必要となる。
このように、従来の絞り装置９００によれば、一本のカム溝で２種類の羽根を駆動しているため長いカム溝が必要となることから、駆動環９３０の限られたスペースに設けることができるカム溝の数は増やし難く、ひいては絞り羽根の枚数を増やすことも難しくなる。
【０００９】
（２）一般に絞り装置においては、複数対の絞り羽根及び漏光防止羽根は、それぞれの羽根が有する固定ボスが収容体に設けられた対応する孔に挿入され、絞り羽根及び漏光防止羽根が順番に上に重ねられるようにして収容体に収容されている。
例えば、従来の絞り装置９００においては、「当該一対をなす当該絞り羽根９１０ｊ及び当該漏光防止羽根９２０ｊ」のうちの当該絞り羽根９１０ｊ、「当該一対をなす当該絞り羽根９１０ｊ及び当該漏光防止羽根９２０ｊ」のうちの当該漏光防止羽根９２０ｊ、当該一対をなす当該絞り羽根９１０ｊ及び当該漏光防止羽根９２０ｊの隣に位置する「次の一対をなす絞り羽根９１０ｊ＋１及び漏光防止羽根９２０ｊ＋１」のうちの絞り羽根９１０ｊ＋１、並びに、「次の一対をなす絞り羽根９１０ｊ＋１及び漏光防止羽根９２０ｊ＋１」のうちの漏光防止羽根９２０ｊ＋１が、この順番で上に重ねられるようにして配置されている《図１４（ｄ）を参照。なお、羽根が重ねられた様子の図示は省略している。》。
なお、第２方向を上と定義し、第１方向を下と定義するものとする。
【００１０】
しなしながら、従来の絞り装置９００においては、絞り開口の開口径を小さくしたり大きくしたりする過程（絞りを調節する過程）で、場合によっては、絞り羽根９１０及び漏光防止羽根９２０の重なり順が崩れ、それらの羽根の重なり順を維持することができなくなるという課題がある。
図１５は、従来の絞り装置９００において、絞り羽根９１０及び漏光防止羽根９２０の重なり順が崩れた一例を説明するために示す平面図である。図１５においては、当該一対をなす絞り羽根９１０ｊ及び漏光防止羽根９２０ｊの両方の羽根と、当該一対をなす絞り羽根９１０ｊ及び漏光防止羽根９２０ｊの隣に位置する次の一対をなす絞り羽根９１０ｊ＋１及び漏光防止羽根９２０ｊ＋１のうち絞り羽根９１０ｊ＋１と、を示しており、その他の羽根の図示は省略している。
【００１１】
従来の絞り装置９００においては、例えば図１５に示すように、本来、当該漏光防止羽根９２０ｊの上に重ねられているべき絞り羽根９１０ｊ＋１が、絞りを調節する過程で当該漏光防止羽根９２０ｊから外れ落ち、絞り羽根９１０ｊ＋１と当該漏光防止羽根９２０ｊとが同じ階層に属することとなってしまう場合がある。このような状態は、絞り羽根及び漏光防止羽根の重なり順が崩れ、それらの羽根の重なり順を維持することができなくなっている状態の１つである。
そして、この状態から更に開口径を大きくしようと絞り羽根及び漏光防止羽根を動作させると、例えば、絞り羽根９１０ｊ＋１の外側輪郭９１５の一部が当該漏光防止羽根９２０ｊの内周縁９２８に接触し、円滑な羽根の動きを阻害するという不具合が生じる。また、場合によっては、絞り羽根９１０ｊ＋１が当該漏光防止羽根９２０ｊの下に潜り込んでしまい、羽根の重なる順番が入れ替わってしまう。その状態から更に開口径を大きくしようと動作させると、絞り羽根９１０ｊ＋１の外側輪郭９１５が、当該漏光防止羽根９２０ｊの漏光防止羽根固定ボス９２２に当たる可能性もある。
【００１２】
本発明は、上記事情に鑑みてなされたものであり、絞り羽根の枚数を増加させ易く、且つ、絞り羽根及び漏光防止羽根の重なり順を維持することができる絞り装置を提供することを目的とする。
【課題を解決するための手段】
【００１３】
［１］本発明の第１の絞り装置は、複数の羽根を光軸に対して進退させることにより絞り開口の開口径を変化させる絞り装置であって、第１平面板からなり、当該絞り装置の開口に入射する光を遮る第１羽根部と、前記第１平面板の一方の面から前記光軸に沿った第１方向の側に突出した第１固定ボスと、前記第１平面板の他方の面から前記第１方向とは逆方向の第２方向の側に突出した移動ボスとを有する絞り羽根と、第２平面板からなり、当該絞り装置の前記絞り開口以外の漏光部を遮光する第２羽根部と、前記第２平面板の一方の面から前記第１方向の側に突出した第２固定ボスとを有し、前記絞り羽根と共に一対をなす漏光防止羽根と、前記移動ボスが嵌挿され、カム溝の周方向の位置により前記光軸との距離が異なる第１カム溝を有し、前記光軸を中心に回転することで、前記第１カム溝を、前記光軸を中心とする周方向に移動させる駆動環と、前記絞り羽根、前記漏光防止羽根及び前記駆動環を収容する収容体と、を備え、前記絞り装置は、一対をなす前記絞り羽根及び前記漏光防止羽根を複数対備え、前記駆動環には、前記移動ボス毎に対応して前記第１カム溝が複数形成され、前記収容体には、各前記一対をなす前記絞り羽根及び前記漏光防止羽根に対応して前記第１固定ボス及び前記第２固定ボスがそれぞれ挿入される一対の第１孔及び第２孔が前記絞り羽根及び前記漏光防止羽根の対数設けられ、前記漏光防止羽根には第２カム溝が更に設けられ、前記絞り羽根の前記移動ボスは、前記漏光防止羽根の前記第２カム溝に嵌挿され、且つ、前記駆動環の前記第１カム溝に嵌挿されており、前記漏光防止羽根の前記第２平面板において前記第２固定ボスからみて前記第２羽根部が位置する側を一方側としたときに、前記漏光防止羽根は、前記第２固定ボスよりも他方側に延びた漏光防止羽根延設部を更に有することを特徴とする。
【００１４】
本発明の第１の絞り装置によれば、漏光防止羽根には第２カム溝が更に設けられ、絞り羽根の移動ボスが、漏光防止羽根の当該第２カム溝に嵌挿され、且つ、駆動環の第１カム溝に嵌挿されていることから、駆動環が回転すると、絞り羽根には駆動環の第１カム溝を通じて移動ボスに対して力が働き、第１固定ボスを支点（回動軸）として絞り羽根の第１羽根部が回動する。併せて、移動ボスが第１カム溝に沿って動くことに伴い、漏光防止羽根には移動ボスを通じて第２カム溝に対して力が働き、第２固定ボスを支点（回動軸）として漏光防止羽根の第２羽根部が回動する。このように、駆動環の第１カム溝に嵌挿されているボスは絞り羽根の移動ボスのみであるものの、絞り羽根を駆動する過程で連動するように漏光防止羽根も併せて駆動することができる。
このような第１の絞り装置によれば、第１カム溝には漏光防止羽根を駆動するためのカム溝パターンを形成する必要がないため、その分、当該第１カム溝の長さは、従来の絞り装置におけるカム溝の長さよりも短くすることができる。第１カム溝の長さを短くできるため、駆動環に設けることができる第１カム溝の数を増やすことが容易となる。また、駆動環に漏光防止羽根を駆動するための専用のカム溝を形成する必要もなくなるため、駆動環には絞り羽根を駆動するための第１カム溝のみを形成すれば良い。そのため、駆動環上に第１カム溝を形成する際のスペース上の制限が少なくなるため、第１カム溝の形状の設計自由度が向上する。かくして、本発明の第１の装置によれば、絞り羽根の枚数を増加させ易い絞り装置を提供することができる。
なお、［４］において後述する本発明の第２の絞り装置も、これと同様の作用・効果を奏する。よって、本段落における作用・効果の記載を、後述する［２］の作用・効果の段落において援用する。
【００１５】
また、本発明の第１の絞り装置においては、当該漏光防止羽根の第２平面板において第２固定ボスからみて第２羽根部が位置する側を一方側としたときに、当該漏光防止羽根は、第２固定ボスよりも他方側に延びた漏光防止羽根延設部を更に有する。
このため、絞りを調節する過程全般に渡り、当該漏光防止羽根の漏光防止羽根延設部と、当該漏光防止羽根の上に重ねられた隣接する絞り羽根とを、重なり順を維持したままオーバーラップさせ続けることができる。したがって、上記絞り羽根が当該漏光防止羽根から外れ落ちて当該漏光防止羽根と同じ階層に属することとなったり、上記絞り羽根が当該漏光防止羽根の下に潜り込んで羽根の重なる順番が入れ替わることを防止できる。
このようにして本発明の第１の絞り装置によれば、絞り羽根及び漏光防止羽根の重なり順を維持することができる。
【００１６】
［２］本発明の第１の絞り装置において、前記第２方向を上と定義したときに、当該一対をなす前記絞り羽根及び前記漏光防止羽根の当該絞り羽根、当該一対をなす前記絞り羽根及び前記漏光防止羽根の当該漏光防止羽根、当該一対をなす前記絞り羽根及び前記漏光防止羽根の隣に位置する次の一対をなす前記絞り羽根及び前記漏光防止羽根の前記絞り羽根、並びに、前記次の一対をなす前記絞り羽根及び前記漏光防止羽根の前記漏光防止羽根が、この順番で上に重ねられるようにして配置されており、前記絞り装置を前記光軸に沿って視たときに、前記次の一対をなす前記絞り羽根及び前記漏光防止羽根の前記絞り羽根の外側輪郭の一部は、当該一対をなす前記絞り羽根及び前記漏光防止羽根の当該漏光防止羽根と常に重なり合っており、前記絞り開口の前記開口径が最小となった際には、前記次の一対をなす前記絞り羽根及び前記漏光防止羽根の絞り羽根の前記外側輪郭の一部が、当該一対をなす前記絞り羽根及び前記漏光防止羽根の当該漏光防止羽根の前記漏光防止羽根延設部と重なり合うことが好ましい。
【００１７】
本発明の第１の絞り装置においては、次の一対をなす絞り羽根及び漏光防止羽根の絞り羽根の外側輪郭の一部は、当該一対をなす絞り羽根及び漏光防止羽根の当該漏光防止羽根と常に重なり合うものとなっている。このため、絞り羽根の外側輪郭は当該漏光防止羽根の範囲内に留まり、絞り羽根が当該漏光防止羽根から外れ落ちて当該漏光防止羽根と同じ階層に属することとなったり、上記絞り羽根が当該漏光防止羽根の下に潜り込んで羽根の重なる順番が入れ替わることを防止できる。
また、羽根の順番が最も入れ替わり易い状態である絞り開口の開口径が最小となった際でも、本発明の第１の絞り装置では、次の一対をなす前記絞り羽根及び前記漏光防止羽根の絞り羽根の外側輪郭の一部が、当該一対をなす絞り羽根及び漏光防止羽根の当該漏光防止羽根の漏光防止羽根延設部と重なり合うものとなっている。このため、絞り羽根の外側輪郭が当該漏光防止羽根の漏光防止羽根延設部の範囲内に留まり、絞り羽根が当該漏光防止羽根から外れ落ちて当該漏光防止羽根と同じ階層に属することとなったり、上記絞り羽根が当該漏光防止羽根の下に潜り込んで羽根の重なる順番が入れ替わること防止できる。
このようにして本発明の第１の絞り装置によれば、絞り羽根及び漏光防止羽根の重なり順を維持することができる。
【００１８】
［３］本発明の第１の絞り装置において、前記絞り羽根は、全体として長軸を有する長尺状の前記第１平面板からなり、前記絞り羽根において、前記第１平面板の長軸方向の一方側には前記第１固定ボスが設けられ、他方側には絞り羽根延設部が設けられており、前記絞り羽根延設部は、前記絞り開口の前記開口径が最大となったときの前記絞り開口の形状の一部と略同一の形状にて形成された内周縁を有し、前記絞り羽根延設部のうち、少なくとも前記内周縁よりも外周側の一部は、常に前記収容体の内周縁である収容体内周縁又は、常に前記駆動環の内周縁である駆動環内周縁よりも外側に位置するように構成されており、前記絞り装置を前記光軸に沿って視たときに、当該絞り羽根の前記絞り羽根延設部の少なくとも一部は、当該絞り羽根の前記第１固定ボスからみて前記光軸を挟んだ反対側に位置する前記漏光防止羽根の上に常に重なっており、前記絞り開口の前記開口径が最大となった際には、当該絞り羽根の前記絞り羽根延設部の一部は、前記反対側に位置する前記漏光防止羽根の前記漏光防止羽根延設部の上に重なることが好ましい。
【００１９】
本発明の第１の絞り装置では、絞り羽根において絞り羽根延設部が設けられており、当該絞り羽根の前記絞り羽根延設部の少なくとも一部は、当該絞り羽根の第１固定ボスからみて光軸を挟んだ反対側に位置する漏光防止羽根の上に常に重なっており、絞り開口の開口径が最大となった際には、当該絞り羽根の絞り羽根延設部の一部は、反対側に位置する漏光防止羽根の漏光防止羽根延設部の上に重なるように構成されている。
このため、絞り羽根延設部の先端側が、当該絞り羽根の第１固定ボスからみて光軸を挟んだ反対側に位置する漏光防止羽根の下に潜り込んで羽根の重なる順番が入れ替わることを防止できる。よって、絞り羽根及び漏光防止羽根の重なり順を維持することができる。
【００２０】
また、本発明の第１の絞り装置では、絞り羽根延設部のうち、少なくとも内周縁よりも外周側の一部は、常に収容体の内周縁である収容体内周縁又は、常に前記駆動環の内周縁である駆動環内周縁よりも外側に位置するように構成されている。
このため、当該絞り羽根については、両持ち梁の如く、第１固定ボス側と絞り羽根延設部の先端側とで収容体内周縁又は、駆動環内周縁に架けるようにして収容体の開口を跨がせることができる。したがって、複数の絞り羽根の先端側が編み上がるようにして絞り開口に向けてせり上がるという現象（せり上がり現象）を防止することができる。よって、絞り装置の外観上の品位を向上させることができる。
【００２１】
［４］本発明の第２の絞り装置は、複数の羽根を光軸に対して進退させることにより絞り開口の開口径を変化させる絞り装置であって、第１平面板からなり、当該絞り装置の開口に入射する光を遮る第１羽根部と、前記第１平面板の一方の面から前記光軸に沿った第１方向の側に突出した第１固定ボスと、前記第１平面板の他方の面から前記第１方向とは逆方向の第２方向の側に突出した移動ボスとを有する絞り羽根と、第２平面板からなり、当該絞り装置の前記絞り開口以外の漏光部を遮光する第２羽根部と、前記第２平面板の一方の面から前記第１方向の側に突出した第２固定ボスとを有し、前記絞り羽根と共に一対をなす漏光防止羽根と、前記移動ボスが嵌挿され、カム溝の周方向の位置により前記光軸との距離が異なる第１カム溝を有し、前記光軸を中心に回転することで、前記第１カム溝を、前記光軸を中心とする周方向に移動させる駆動環と、前記絞り羽根、前記漏光防止羽根及び前記駆動環を収容する収容体と、を備え、前記絞り装置は、一対をなす前記絞り羽根及び前記漏光防止羽根を複数対備え、前記駆動環には、前記移動ボス毎に対応して前記第１カム溝が複数形成され、前記収容体には、各前記一対をなす前記絞り羽根及び前記漏光防止羽根に対応して前記第１固定ボス及び前記第２固定ボスがそれぞれ挿入される一対の第１孔及び第２孔が前記絞り羽根及び前記漏光防止羽根の対数設けられ、前記漏光防止羽根には第２カム溝が更に設けられ、前記絞り羽根の前記移動ボスは、前記漏光防止羽根の前記第２カム溝に嵌挿され、且つ、前記駆動環の前記第１カム溝に嵌挿されており、前記絞り装置は、前記漏光防止羽根と前記絞り羽根との中間に配置される中間羽根を更に備え、前記第２方向を上と定義したときに、当該一対をなす前記絞り羽根及び前記漏光防止羽根の当該絞り羽根、当該一対をなす前記絞り羽根及び前記漏光防止羽根の当該漏光防止羽根、前記中間羽根、当該一対をなす前記絞り羽根及び前記漏光防止羽根の隣に位置する次の一対をなす前記絞り羽根及び前記漏光防止羽根の前記絞り羽根、並びに、前記次の一対をなす前記絞り羽根及び前記漏光防止羽根の前記漏光防止羽根が、この順番で上に重ねられるようにして配置されており、前記絞り装置を前記光軸に沿って視たときに、前記中間羽根と前記当該一対をなす前記絞り羽根及び前記漏光防止羽根の当該漏光防止羽根とは常に重なり合っており、且つ、前記中間羽根と前記次の一対をなす前記絞り羽根及び前記漏光防止羽根の前記絞り羽根とは常に重なり合っていることを特徴とする。
【００２２】
本発明の第２の絞り装置においては、漏光防止羽根と絞り羽根との中間に配置される中間羽根を更に備えている。そして、中間羽根と、当該一対をなす絞り羽根及び漏光防止羽根の当該漏光防止羽根とが常に重なり合うように構成されている。このように中間羽根と当該漏光防止羽根とが重なり合う領域が確保されるため、中間羽根は必ず隣接している当該漏光防止羽根の上の階層に属することができる。
また、中間羽根と、次の一対をなす絞り羽根及び漏光防止羽根の絞り羽根とが常に重なり合うように構成されている。このように上記絞り羽根と中間羽根とが重なり合う領域が確保されるため、上記絞り羽根は必ず中間羽根の上の階層に属することができる。
こうして中間羽根を介し、上記絞り羽根は必ず当該漏光防止羽根の上方の階層に属することが約束されることから、本発明の第２の絞り装置によれば、絞り羽根及び漏光防止羽根の重なり順を維持することができる。
【００２３】
［５］本発明の第２の絞り装置において、前記中間羽根は、前記絞り羽根及び前記漏光防止羽根の動きを干渉しないようにして前記収容体に対し固定されていることが好ましい。
【００２４】
このような本発明の第２の絞り装置は、換言すると、絞り羽根を動作させるのに連動して中間羽根を動作させるものではない。したがって、羽根駆動のためのエネルギーを絞り羽根及び漏光防止羽根を動かす以外に費やすことがなく、３枚羽根（絞り羽根、漏光防止羽根及び中間羽根）でありながらエネルギー効率の高い絞り装置となる。
また、絞り羽根及び漏光防止羽根の動きを干渉しないようにして固定されていることから、絞り羽根及び漏光防止羽根を円滑に動作させることができる。
【００２５】
［６］本発明の第２の絞り装置において、前記絞り羽根は、全体として長軸を有する長尺状の前記第１平面板からなり、前記絞り羽根において、前記第１平面板の長軸方向の一方側には前記第１固定ボスが設けられ、他方側には絞り羽根延設部が設けられており、前記絞り羽根延設部は、前記絞り開口の前記開口径が最大となったときの前記絞り開口の形状の一部と略同一の形状にて形成された内周縁を有し、前記絞り羽根延設部のうち、少なくとも前記内周縁よりも外周側の一部は、常に前記収容体の内周縁である収容体内周縁又は、常に駆動環の内周縁である駆動環内周縁よりも外側に位置するように構成されており、前記絞り装置を前記光軸に沿って視たときに、前記絞り開口の前記開口径が最小となった際には、当該絞り羽根の前記絞り羽根延設部の一部は、当該絞り羽根の前記第１固定ボスからみて前記光軸を挟んだ反対側に位置する前記漏光防止羽根の上に重なり、前記絞り開口の前記開口径が最小から最大に遷移する過程において、当該絞り羽根の前記絞り羽根延設部の一部は、当該絞り羽根の前記第１固定ボスからみて前記光軸を挟んだ反対側に位置する前記中間羽根の上に重なることが好ましい。
【００２６】
本発明の第２の絞り装置では、絞り羽根において絞り羽根延設部が設けられており、絞り開口の開口径が最小（最小絞り状態）となった際には、当該絞り羽根の絞り羽根延設部の一部は、当該絞り羽根の第１固定ボスからみて光軸を挟んだ反対側に位置する漏光防止羽根の上に重なるように構成されている。
このため、絞り羽根延設部の先端側が、当該絞り羽根の第１固定ボスからみて光軸を挟んだ反対側に位置する漏光防止羽根の下に潜り込んで羽根の重なる順番が入れ替わることを防止できる。
また、絞り開口の開口径が最小から最大に遷移する過程において、当該絞り羽根の絞り羽根延設部の一部は、当該絞り羽根の第１固定ボスからみて光軸を挟んだ反対側に位置する前記中間羽根の上に重なるように構成されている。換言すると、絞り開口の開口径が最小から最大に遷移する過程において、当該絞り羽根の絞り羽根延設部の一部が、当該絞り羽根の第１固定ボスからみて光軸を挟んだ反対側に位置する漏光防止羽根の上から、当該絞り羽根の第１固定ボスからみて光軸を挟んだ反対側に位置する中間羽根の上に乗り移るようにして重なるように構成されている。
このため、絞り羽根延設部の先端側が、当該絞り羽根の第１固定ボスからみて光軸を挟んだ反対側に位置する中間羽根の更に下の階層の羽根、すなわち、かかる中間羽根の下の階層にある絞り羽根と同じ階層になること、又は、かかる絞り羽根の下に潜り込むことを防止できる。
このようにして、本発明の第２の絞り装置によれば、絞り羽根及び漏光防止羽根の重なり順を維持することができる。
【００２７】
また、本発明の第２の絞り装置では、絞り羽根延設部のうち、少なくとも内周縁よりも外周側の一部は、常に収容体の内周縁である収容体内周縁又は駆動環内周縁よりも外側に位置するように構成されている。
このため、当該絞り羽根については、両持ち梁の如く、第１固定ボス側と絞り羽根延設部の先端側とで収容体内周縁又は駆動環内周縁に架けるようにして収容体の開口を跨がせることができる。したがって、複数の絞り羽根の先端側が編み上がるようにして絞り開口に向けてせり上がるという現象を防止することができる。よって、絞り装置の外観上の品位を向上させることができる。
【００２８】
［７］本発明の第１の絞り装置又は第２の絞り装置において、前記絞り羽根は、全体として長軸を有する長尺状の前記第１平面板からなり、前記絞り羽根において、前記第１平面板の長軸方向の一方側には前記第１固定ボスが設けられ、他方側には絞り羽根延設部が設けられており、前記絞り羽根延設部は、前記絞り開口の前記開口径が最大となったときの前記絞り開口の形状の一部と略同一の形状にて形成された内周縁を有し、前記絞り羽根延設部には、常に前記収容体の内周縁である収容体内周縁よりも外側に位置して前記収容体内周縁に係合するように構成された係合用凸部が更に設けられていることが好ましい。
【００２９】
絞り羽根において設けられた絞り羽根延設部において、常に収容体の内周縁である収容体内周縁又は、常に前記駆動環の内周縁である駆動環内周縁よりも外側に位置して収容体内周縁に係合するように構成された係合用凸部が更に設けられている。
このため、例えば、絞り開口の開口径が小さくなったときにおいても、絞り羽根については、両持ち梁の如く、第１固定ボス側と係合用凸部とで収容体内周縁又は、駆動環内周縁に架けるようにして収容体の開口を跨がせることができる。したがって、複数の絞り羽根の先端側が編み上がるようにして絞り開口に向けてせり上がるという現象を防止することができる。よって、絞り装置の外観上の品位を向上させることができる。
【００３０】
［８］本発明のレンズ鏡筒は、上記［１］〜［７］のいずれかに記載の絞り装置及びレンズが収容されていることを特徴とする。
【００３１】
［９］本発明の撮像装置又は投影装置は、上記［１］〜［７］のいずれかに記載の絞り装置又は上記［８］に記載のレンズ鏡筒を備えていることを特徴とする。
【図面の簡単な説明】
【００３２】
【図１】実施形態１に係る絞り装置１０を説明するために示す斜視図である。
【図２】実施形態１に係る絞り装置１０を説明するために示す平面図である。
【図３】実施形態１に係る絞り装置１０の要部を説明するために示す斜視図である。
【図４】実施形態１に係る絞り装置１０における第１固定ボス１２０、第２固定ボス２２０、移動ボス１３０、第１カム溝３３０、第２カム溝２３０等の位置関係を説明するために示す平面図である。
【図５】実施形態１に係る絞り装置１０における第１固定ボス１２０、第１孔４０１、第２固定ボス２２０及び第２孔４０２の位置関係を説明するために示す平面図である。
【図６】実施形態１に係る絞り装置１０の作用・効果を説明するために示す平面図である。
【図７】実施形態２に係る絞り装置１０ａの要部を説明するために示す斜視図である。
【図８】実施形態２に係る絞り装置１０ａの作用・効果を説明するために示す平面図である。
【図９】実施形態３に係るレンズ鏡筒２０及び実施形態４に係る撮像装置３０又は投影装置３５を説明するために示す模式図である。
【図１０】変形例１に係る絞り装置１０ｂを説明するために示す平面図である。
【図１１】変形例２に係る絞り装置１０ｃを説明するために示す平面図である。
【図１２】変形例３に係る絞り装置１０ｄを説明するために示す平面図である。
【図１３】変形例４の中間羽根２８０ａ及び変形例５の中間羽根２８０ｂの固定方法を説明するために示す平面図である。
【図１４】従来の絞り装置９００を説明するために示す平面図である。
【図１５】従来の絞り装置９００において、絞り羽根９１０及び漏光防止羽根９２０の重なり順が崩れた一例を説明するために示す平面図である。
【発明を実施するための形態】
【００３３】
以下、本発明の絞り装置、レンズ鏡筒及び撮像装置又は投影装置について、図に示す実施の形態に基づいて説明する。
【００３４】
［実施形態１］
１．実施形態１に係る絞り装置１０の基本構造
図１〜図２は、実施形態１に係る絞り装置１０を説明するために示す図である。図１（ａ）は、絞り装置１０を分解した状態の斜視図である。図１（ｂ）は、組み立てた状態の絞り装置１０の斜視図である。図２は、絞り装置１０を光軸ＯＡに沿って平面視したときの平面図である。図２（ａ）は、絞り羽根１００及び漏光防止羽根２００を収容体４００の幅（光軸ＯＡと直交する方向の幅）内に退避させた状態を示すものであり、絞り羽根１００により形成される開口（絞り開口）の開口径を最大にした状態（フル開放状態）を示している。図２（ｃ）は、絞り開口の開口径を最小にした状態（最小絞り状態）を示す図である。図２（ｂ）は、絞り羽根１００及び漏光防止羽根２００をフル開放状態と最小絞り状態との間の位置に移動させた中間絞り状態を示す図である。なお、図２（ａ）及び図２（ｃ）においては、一対をなす絞り羽根１００及び漏光防止羽根２００と、それらに対応する第１カム溝３３０を図示しており、他の絞り羽根、漏光防止羽根及び第１カム溝については図示を省略している。なお、カバー５００は駆動環３００の脱落防止目的で収容体４００に取り付けられる。
【００３５】
実施形態１に係る絞り装置１０は、図１及び図２に示すように、光軸ＯＡに沿って平面視したとき、開口４１３を有する円環の形状をなす。複数の羽根（ここでは絞り羽根１００）を開口４１３の内側（光軸ＯＡに向けて）に突出させることにより絞り開口の開口径ＡＤが変更させられる。絞り開口の開口径ＡＤが変更させられることで、絞り開口を通過する光の量が調節される。
絞り装置１０は、絞り羽根１００、漏光防止羽根２００、駆動環３００及び収容体４００を備える。収容体４００を受け皿として、その上に、複数の絞り羽根１００及び複数の漏光防止羽根２００が重ねられるように積層され、さらにその上に駆動環３００が載置されている。さらに、その上には、カバー５００が載置されている。
開口径ＡＤは、図２（ａ）〜図２（ｃ）に示すように、絞り羽根１００の開口４１３内への突出量に応じて、絞りの開口径が、開口径ＡＤｆ〜開口径ＡＤｍ〜最小絞り状態の開口径というように遷移しながら変更される。
【００３６】
２．実施形態１に係る絞り装置の詳細な構造
（１）第１カム溝３３０と共に第２カム溝２３０に嵌挿された移動ボス１３０
図３は、実施形態１に係る絞り装置１０の要部を説明するために示す斜視図である。
図３においては、当該一対をなす絞り羽根１００ｊ及び漏光防止羽根２００ｊ、並びに、当該一対をなす絞り羽根１００ｊ及び漏光防止羽根２００ｊの隣に位置する次の一対をなす絞り羽根１００ｊ＋１及び漏光防止羽根２００ｊ＋１を示している。また、駆動環３００及び収容体４００はこれらの羽根に対応する部分のみを取り出して示している。その他の構成要素については図示を省略している。なお、符号２１２は第２羽根部２１０の外周縁を示す。
なお、ｊはインデックス用の変数であり、１以上の整数が代入される。
以下の説明において、例えば、絞り羽根１００ｊ／１００ｊ＋１を単に絞り羽根１００と表記して、変数ｊを付すのを省略して説明することがある。漏光防止羽根２００、第１孔４０１、第２孔４０２等についても同様である。
【００３７】
図３に示すように、絞り羽根１００（例えば絞り羽根１００ｊに注目されたし。）は、第１平面板１０２からなり、開口４１３の内側に突出して絞り開口を形成し、絞り装置１０の絞り開口に入射する光を遮る第１羽根部１１０と《図２（ａ）〜図２（ｃ）を併せて参照。》、第１平面板１０２の一方の面Ｆ１から光軸ＯＡに沿った第１方向の側に突出した第１固定ボス１２０と、第１平面板１０２の他方の面Ｆ２から第１方向とは逆方向の第２方向の側に突出した移動ボス１３０とを有する。
第１平面板１０２は、遮光性を有しており、他の構成要素（漏光防止羽根２００、収容体４００等）と合わせて滑らかに摺動することができる材料からなっている。第１固定ボス１２０及び移動ボス１３０は、一定の半径を有する円筒（円柱）の形状を有している。第１固定ボス１２０は、収容体４００に形成される第１孔４０１に回転可能に挿入される。つまり、第１固定ボス１２０及び第１孔４０１が配置される位置は、絞り羽根１００の回転軸が配置される位置である。第１固定ボス１２０の「固定」の意味は、収容体に対するボスの位置は移動せず固定的であるという意味であり、ボス単体では回転可能であるものとする。
【００３８】
漏光防止羽根２００（例えば図３の漏光防止羽根２００ｊに注目されたし。）は、第２平面板２０２からなり、当該絞り装置１０の絞り開口以外の漏光部を遮光する第２羽根部２１０と《図２（ｃ）も併せて参照。》、第２平面板２０２の一方の面Ｆ３から第１方向の側に突出した第２固定ボス２２０とを有する。そして、かかる漏光防止羽根２００は、上記した絞り羽根１００と共に一対をなしている。
ここで「漏光部」とは、絞り開口以外の部分であって、複数の絞り羽根だけでは塞ぐことができない部分をいう。漏光部を「遮光する」とは、別言すれば漏光部を塞ぐともいえる。
第２平面板２０２も第１平面板１０２と同様に、他の構成要素（絞り羽根１００、収容体４００等）と合わせて滑らかに摺動することができる材料からなっている。また、第２固定ボス２２０は、一定の半径を有する円筒（円柱）の形状を有している。第２固定ボス２２０は、収容体４００に形成される第２孔４０２ｊに回転可能に挿入される。つまり、第２固定ボス２２０及び第２孔４０２が配置される位置は、漏光防止羽根２００の回転軸が配置される位置である。第２固定ボス２２０の「固定」の意味は、収容体に対するボスの位置は移動せず固定的であるという意味であり、ボス単体では回転可能であるものとする。
【００３９】
駆動環３００には、図１〜図３に示すように、第１カム溝３３０が形成されている。駆動環３００は、内側が円形に開口した環状の平面板である。なお、円形の開口は駆動環３００の内周縁である駆動環内周縁３１５により形成される。
第１カム溝３３０には、移動ボス１３０が嵌挿される。第１カム溝３３０は、カム溝の位置により光軸ＯＡとの距離が異なるように構成されている。ただし、周方向に沿ってカム溝をみたときに光軸ＯＡとの距離が同じ区間を一部有していても構わない。
かかる駆動環３００が光軸ＯＡを中心に回転すると、第１カム溝３３０は、光軸ＯＡを中心とする周方向に移動する。このとき、第１カム溝３３０に嵌挿された移動ボス１３０は、第１孔４０１に挿入された第１固定ボス１２０を中心に回転させられる。つまり、移動ボス１３０は、駆動環３００が回転する方向に応じて、第１固定ボス１２０を回転中心に開口４１３の内側に向かう方向（以下、−ｒ方向とする。）、又は、開口４１３の外側に向かう方向（以下、ｒ方向とする。）に移動させられる。
駆動環３００に回転力を付与する方法はいかなる方法を採用してもよいが、ここでは、駆動環本体３１０と一体となって回転する回転レバー３４０を設け、当該回転レバー３４０に対して図示しない回転力付与手段から力を加える。
【００４０】
収容体４００は、図１〜図３に示すように、内側に開口４１３を有し全体として円環の形状をなしている。収容体４００は、上記したとおり絞り羽根１００、漏光防止羽根２００及び駆動環３００を収容する。なお、円形の開口４１３は収容体４００の内周縁である収容体内周縁４１５により形成される。
また、収容体４００には、上記した一対をなす絞り羽根１００及び漏光防止羽根２００に対応して第１固定ボス１２０及び第２固定ボス２２０がそれぞれ挿入される一対の第１孔４０１及び第２孔４０２が、ｎセット（絞り羽根１００及び漏光防止羽根２００の対数）設けられている（ただし、ｎは２以上の整数。）。
さらに、収容体４００には、図１（ａ）に示すように、駆動環３００の回転レバー３４０が回転できるように外周壁４１０の一部を切り欠いた切欠部４１１を有している。
【００４１】
絞り装置１０全体としては、上記した一対をなす絞り羽根１００及び漏光防止羽根２００をｎセット（複数対）備えている。駆動環３００には、絞り羽根１００毎に設けられている移動ボス１３０にそれぞれ対応するようにして第１カム溝３３０がｎ個（複数）形成されている。例えば、図１〜３においては１１セットとなっている。
上記した一対をなす絞り羽根１００及び漏光防止羽根２００は、図２（ａ）、図２（ｃ）、図３等に示すように、第２方向に向かって絞り羽根１００及び漏光防止羽根２００の順で積層されている。
すなわち、第２方向を上と定義し、第１方向を下と定義したときに、「当該一対をなす絞り羽根１００ｊ及び漏光防止羽根２００ｊ」の当該絞り羽根１００ｊ、「当該一対をなす絞り羽根１００ｊ及び漏光防止羽根２００ｊ」の当該漏光防止羽根２００ｊ、当該一対をなす絞り羽根１００ｊ及び漏光防止羽根２００ｊの隣に位置する「次の一対をなす絞り羽根１００ｊ＋１及び漏光防止羽根２００ｊ＋１」の絞り羽根１００ｊ＋１、並びに、「次の一対をなす絞り羽根１００ｊ＋１及び漏光防止羽根２００ｊ＋１」の漏光防止羽根２００ｊ＋１が、この順番で上に重ねられるようにして配置されている（図３参照。）。
【００４２】
上記に加え、漏光防止羽根２００には第２カム溝２３０が更に設けられている。第２カム溝２３０は、移動ボス１３０に対応した位置に配置される。
絞り羽根１００の移動ボス１３０は、漏光防止羽根２００の第２カム溝２３０に嵌挿され、且つ、駆動環３００の第１カム溝３３０にも嵌挿されている。
なお、移動ボス１３０は第１カム溝３３０及び第２カム溝２３０に「嵌挿」されているとしているが、移動ボス１３０が、第１カム溝３３０の深さ（駆動環３００の厚さ）の一部にだけ挿入されていてもよいし、第２カム溝２３０に加えて第１カム溝３３０を貫通していてもよい。なお、実施形態１においては、ほぼ貫通する程度の状態としている。
【００４３】
（２）第１固定ボス１２０及び第２固定ボス２２０の配置関係
図４は、実施形態１に係る絞り装置１０における第１固定ボス１２０、第２固定ボス２２０、移動ボス１３０、第１カム溝３３０、第２カム溝２３０等の位置関係を説明するために示す平面図である。図４（ａ）においては、当該一対をなす絞り羽根１００ｊ及び漏光防止羽根２００ｊ、それらに対応する第１カム溝３３０及び第２カム溝２３０、並びに、次の一対をなす絞り羽根１００ｊ＋１及び漏光防止羽根２００ｊ＋１のうちの絞り羽根１００ｊ＋１を図示している。また、図４においては、当該一対をなす絞り羽根１００ｊ及び漏光防止羽根２００ｊの隣であって前の一対をなす絞り羽根１００ｊ−１及び漏光防止羽根２００ｊ−１のうち絞り羽根１００ｊ−１と、これに対応する移動ボス１３０’を図示している。その他の絞り羽根及び漏光防止羽根、並びに、それらに対応する構成要素については図示を省略している。図４（ｂ）においては、収容体４００に、第１固定ボス１２０及び第２固定ボス２２０が挿入される、前の一対の第１孔４０１ｊ−１及び第２孔４０２ｊ−１、当該一対の第１孔４０１ｊ及び第２孔４０２ｊ、次の一対の第１孔４０１ｊ＋１及び第２孔４０２ｊ＋１等が複数対設けられている様子を図示している。他の構成要素については図示を省略している。
【００４４】
実施形態１に係る絞り装置１０は、図４に示すように、第１固定ボス１２０と第２固定ボス２２０とは、互いに光軸ＯＡからの距離が異なる位置に配置されている。言い換えると、第１固定ボス１２０及び第２固定ボス２２０を、互いに内周側と外周側とにずらすように配置している（図３等も併せて参照。）。例えば図４（ａ）を用いて説明すると、光軸ＯＡからの第１固定ボス１２０の距離をＲ１とし、光軸ＯＡからの第２固定ボス２２０の距離をＲ２としたとき、第１固定ボス１２０及び第２固定ボス２２０は、Ｒ２＞Ｒ１の関係となるように配置されている。
第１固定ボス１２０及び第２固定ボス２２０の配置関係に対応するように、収容体４００において、第１固定ボス１２０及び第２固定ボス２２０が挿入される一対の第１孔４０１ｊ及び第２孔４０２ｊは互いに光軸ＯＡからの距離が異なる位置に配置されている。
なお、図４（ａ）では第１固定ボス１２０を内周側に配置した例を示したが、実施形態１の絞り装置１０においてはこれに限定されるものではない。すなわち、第２固定ボス２２０が第１固定ボス１２０よりも内周側に配置されても構わない。
【００４５】
（３）漏光防止羽根延設部２５０
漏光防止羽根２００の第２平面板２０２において第２固定ボス２２０からみて第２羽根部２１０が位置する側を一方側としたときに、漏光防止羽根２００は、第２固定ボス２２０よりも他方側に延びた漏光防止羽根延設部２５０を更に有する（図３等参照。）。
すなわち、漏光防止羽根２００は全体として長軸を有する長尺状の第２平面板２０２からなっており、長軸方向でみたときに中央付近に第２固定ボス２２０が配置されている。そして、第２固定ボス２２０よりも他方側に漏光防止羽根延設部２５０が設けられている。
漏光防止羽根延設部２５０は、その内側（光軸ＯＡ側）の内周縁の形状としては、絞り開口の開口径が最大となったときの絞り開口の形状の一部と略同一の形状となっていることが好ましい。極力内側の領域にまで漏光防止羽根延設部２５０を設けることにより、漏光防止羽根延設部２５０は、当該漏光防止羽根の上に重ねられた絞り羽根に対して、より一層オーバーラップさせ易くなるからである。
【００４６】
３．実施形態１に係る絞り装置１０の作用・効果
（１）第１カム溝３３０と共に第２カム溝２３０に嵌挿された移動ボス１３０
実施形態１に係る絞り装置１０は、上記したように、複数の羽根を光軸に対して進退させることにより絞り開口の開口径を変化させる絞り装置であって、絞り羽根１００と、この絞り羽根１００と一対をなす漏光防止羽根２００と、駆動環３００と、収容体４００とを備える。
絞り羽根１００は、第１平面板１０２からなり、絞り装置１０の絞り開口（絞り羽根１００により形成される開口）に入射する光を遮る第１羽根部１１０と、第１平面板１０２の一方の面Ｆ１から光軸ＯＡに沿った第１方向の側に突出した第１固定ボス１２０と、第１平面板１０２の他方の面Ｆ２から第１方向とは逆方向の第２方向の側に突出した移動ボス１３０とを有する。
漏光防止羽根２００は、第２平面板２０２からなり、当該絞り装置１０の絞り開口以外の漏光部を遮光する第２羽根部２１０と、第２平面板２０２の一方の面Ｆ３から第１方向の側に突出した第２固定ボス２２０とを有する。
駆動環３００は、移動ボス１３０が嵌挿される第１カム溝３３０を有する。この第１カム溝３３０は、カム溝の位置により光軸ＯＡとの距離が異なる。駆動環３００は、光軸ＯＡを中心に回転することができる。したがって、駆動環３００が光軸ＯＡを中心に回転すると、第１カム溝３３０が周方向に移動する。これにより、第１カム溝３３０に嵌挿された移動ボス１３０は、ｒ方向または−ｒ方向に移動させられる。
収容体４００は、絞り羽根１００、漏光防止羽根２００及び駆動環３００を収容する。
絞り装置１０は、一対をなす絞り羽根１００及び漏光防止羽根２００をｎセット（複数対）備える。駆動環３００には、絞り羽根１００毎に設けられている移動ボス１３０にそれぞれ対応するようにして第１カム溝３３０がｎ個（複数）形成されている。
収容体４００には、一対をなす絞り羽根１００及び漏光防止羽根２００に対応して、第１固定ボス１２０及び第２固定ボス２２０がそれぞれ挿入される一対の第１孔４０１ｊ及び第２孔４０２ｊが設けられている。第１孔４０１ｊ及び第２孔４０２ｊは、ｎセット（絞り羽根１００及び漏光防止羽根２００の対数）設けられている。
漏光防止羽根２００には第２カム溝２３０が設けられ、絞り羽根１００の移動ボス１３０は、漏光防止羽根２００の第２カム溝２３０に嵌挿され、且つ、駆動環３００の第１カム溝３３０に嵌挿されている。
【００４７】
実施形態１に係る絞り装置１０は、上記したように、漏光防止羽根２００には第２カム溝２３０が更に設けられている。絞り羽根１００の移動ボス１３０が、漏光防止羽根２００の当該第２カム溝２３０に嵌挿され、且つ、駆動環３００の第１カム溝３３０に嵌挿されている。
このような構造を採ることにより、以下のような作用が働くこととなる。（１）図示しない回転力付与手段から回転力が加えられて駆動環３００が回転する。（２）駆動環３００が回転すると、絞り羽根１００においては、駆動環３００から第１カム溝３３０を通じて、移動ボス１３０に対して力が働く。つまり絞り羽根１００は、移動ボス１３０を力点とし、第１固定ボス１２０を支点（回動軸）として回動することとなる。（３）移動ボス１３０が第１固定ボス１２０を中心に回転（−ｒ方向に移動）することに伴い、漏光防止羽根２００においては、移動ボス１３０から第２カム溝２３０に対して力が働く。つまり漏光防止羽根２００は、移動ボス１３０から第２カム溝２３０に力が働いた箇所を力点とし、第２固定ボス２２０を支点（回動軸）として回動することとなる《図２（ｃ）、図３等を参照。》。
このように実施形態１に係る絞り装置１０では、駆動環３００の第１カム溝３３０に嵌挿されているボスは絞り羽根１００の移動ボス１３０のみであるものの、絞り羽根１００の駆動に連動させて漏光防止羽根２００も駆動することができる。
【００４８】
したがって、第１カム溝３３０は、絞り羽根１００を駆動するために必要な長さに形成すれば十分であり、漏光防止羽根２００を駆動するためのカム溝を形成する必要がない。そのため、その分、第１カム溝３３０の長さは、従来の絞り装置におけるカム溝の長さよりも短くすることができる。また、絞り羽根１００を駆動するためだけに第１カム溝３３０を形成すれば良いため、漏光防止羽根２００の駆動を考慮する必要が無くなり、その分、第１カム溝３３０の設計自由度は向上する。このように、第１カム溝３３０の長さを短くでき、かつ、設計自由度を向上できるため、駆動環３００に設けることができる第１カム溝３３０の数を増やすことが容易となる。これに対応して絞り羽根１００の枚数を増やすことが容易となる。絞り羽根１００と一対をなしている漏光防止羽根２００の枚数も増やすことが容易となる。
【００４９】
（２）第１固定ボス１２０及び第１孔４０１ｊと第２固定ボス２２０及び第２孔４０２ｊとの配置関係
実施形態に係る絞り装置１０は上記したように、第１固定ボス１２０及び第１孔４０１ｊと第２固定ボス２２０及び第２孔４０２ｊとは、互いに光軸ＯＡからの距離が異なる位置に配置されている。このため、光軸ＯＡからの距離が互いに異なるそれぞれの周上に、複数の第１固定ボス１２０及び第１孔４０１ｊと複数の第２固定ボス２２０及び第２孔４０２ｊとをそれぞれ設けることができる。したがって、一対をなす第１固定ボス１２０及び第１孔４０１と第２固定ボス２２０及び第２孔４０２との対数を増やすことが容易となる。ひいては絞り羽根１００の枚数を増やすことが容易となる。
【００５０】
図５を用いて更に詳しく説明する。
図５は、実施形態１に係る絞り装置１０の効果を説明するために示す平面図である。図５（ａ）は従来の絞り装置９００に対応する図であり、図５（ｂ）は実施形態１に係る絞り装置１０に対応する図である。図５（ａ）及び図５（ｂ）においては、収容体４００の一部のみを示している。
図５（ａ）は、絞り羽根固定ボス９１２及び第１孔９４１ｊ（ｊは１以上の整数。）と、漏光防止羽根固定ボス９２２及び第２孔９４２ｊ（ｊは１以上の整数。）との配置関係を示している。図５（ｂ）は、第１固定ボス１２０及び第１孔４０１ｊ（ｊは１以上の整数。）と、第２固定ボス２２０及び第２孔４０２ｊ（ｊは１以上の整数。）との配置関係を示している。その他の構成要素については図示を省略している。
【００５１】
（ａ）従来の絞り装置
従来の絞り装置９００に基づく絞り装置においては、図５（ａ）に示すように、絞り羽根固定ボス９１２及び第１孔９４１ｊと、漏光防止羽根固定ボス９２２及び第２孔９４２ｊとは、光軸ＯＡからの距離が同一の位置に配置される。すなわち、絞り羽根固定ボス９１２及び第１孔９４１ｊと漏光防止羽根固定ボス９２２及び第２孔９４２ｊとは、同一の円周上に配置されている《図１４（ｄ）も併せて参照。》。
したがって、絞り羽根９１０の枚数を増やすに当たっては、同一の円周上に配置する絞り羽根固定ボス及び第１孔、並びに、漏光防止羽根固定ボス及び第２孔からなる対の数を増やすこととなる。その際、絞り羽根固定ボス９１２及び第１孔９４１ｊと、漏光防止羽根固定ボス９２２及び第２孔９４２ｊとの間隔に配慮する必要があった。さらに、これら当該一対をなす絞り羽根固定ボス９１２及び第１孔９４１ｊ、並びに、漏光防止羽根固定ボス９２２及び第２孔９４２ｊと、これらの隣に位置する一対をなす絞り羽根固定ボス９１２’及び第１孔９４１ｊ＋１（符号は一例であって、９４１ｊ−１であってもよい。）、並びに、漏光防止羽根固定ボス９２２’及び第２孔９４２ｊ＋１（一例）と、の対同士の間隔にも配慮する必要があった。
しかるに、従来の絞り装置は、絞り羽根９１０の枚数を増やすことが難しかった。 
【００５２】
（ｂ）実施形態１に係る絞り装置
一方で、実施形態１に係る絞り装置１０においては、第１固定ボス１２０及び第１孔４０１ｊと第２固定ボス２２０及び第２孔４０２ｊとは、互いに光軸ＯＡからの距離が異なる位置に配置されている。言い換えると、第１固定ボス１２０及び第１孔４０１ｊと第２固定ボス２２０及び第２孔４０２ｊとを、互いに内周側と外周側とにずらすように配置している。
このため、図５（ｂ）に示すように、光軸ＯＡからの距離が互いに異なるそれぞれの周上に（内周上及び外周上に）、第１固定ボス１２０及び第１孔４０１ｊと、第２固定ボス２２０及び第２孔４０２ｊとを設けることができる。
したがって、設計の自由度が増すこととなり、一対をなす第１固定ボス１２０及び第１孔４０１ｊと、第２固定ボス２２０及び第２孔４０２ｊと対数を増やすことが容易となる。ひいては絞り羽根１００の数を増やすことが容易となる。
なお、同一周上に配置された例えば当該第１固定ボス１２０及び第１孔４０１ｊとそれと隣接する第１固定ボス１２０’及び第１孔４０１ｊ−１（符号は一例であって、４０１ｊ＋１であってもよい。）との離間距離を考慮しなければならない場合がある。しかし、内径Ｒ１と外径Ｒ２《図４（ａ）も併せて参照。》との差が、当該第１固定ボス１２０及び第１孔４０１ｊとそれと隣接する第１固定ボス１２０’及び第１孔４０１ｊ−１（一例）との離間距離に対して十分に大きければ、設計上、図５（ｂ）に示すように、当該第１固定ボス１２０及び第１孔４０１ｊとそれと隣接する第１固定ボス１２０’ 及び第１孔４０１ｊ−１（一例）との間に所与のマージンθｍを確保しておけばよい。
【００５３】
このようにして、実施形態１に係る絞り装置によれば、第１カム溝の数、第１固定ボス及び第１孔の数等を増やすことが容易となるため、絞り羽根の枚数を増加させ易い絞り装置を提供することができる。
【００５４】
（３）漏光防止羽根延設部２５０による作用・効果
図６は、実施形態１に係る絞り装置１０の作用・効果を説明するために示す平面図である。図６（ａ）は、絞り開口の開口径を最大にした状態（フル開放状態）を示しており、図６（ｂ）は、絞り開口の開口径を最小にした状態（最小絞り状態）を示している。なお、図６（ａ）及び図６（ｂ）においては、当該一対をなす絞り羽根１００ｊ（＃１）及び漏光防止羽根２００ｊ（＃２）、並びに、当該一対をなす絞り羽根１００ｊ（＃１）及び漏光防止羽根２００ｊ（＃２）の隣に位置する次の一対をなす絞り羽根１００ｊ＋１（＃３）及び漏光防止羽根２００ｊ＋１のうちの絞り羽根１００ｊ＋１（＃３）のみを図示しており、他の絞り羽根、漏光防止羽根等については図示を省略している。
【００５５】
実施形態１に係る絞り装置１０においては、図６に示すように、当該漏光防止羽根２００ｊの第２平面板２０２において第２固定ボス２２０からみて第２羽根部２１０が位置する側を一方側としたときに、当該漏光防止羽根２００ｊは、第２固定ボス２２０よりも他方側に延びた漏光防止羽根延設部２５０を更に有する（図３も併せて参照。）。
この漏光防止羽根延設部２５０により、図６（ｂ）に示すように、例えば絞り装置１０を最小絞り状態としたときにも、絞り羽根１００ｊ＋１（＃３）の一部を、漏光防止羽根２００ｊの漏光防止羽根延設部２５０においてオーバーラップさせることができる。
この結果、絞り羽根１００ｊ（＃１）とその上の階層に属する漏光防止羽根２００ｊ（＃２）とは第１領域ＲＧ１においてオーバーラップし、漏光防止羽根２００ｊ（＃２）とその上の階層に属する絞り羽根１００ｊ＋１（＃３）とは第２領域ＲＧ２においてオーバーラップすることとなる。したがって、下から上に、絞り羽根１００ｊ（＃１）、漏光防止羽根２００ｊ（＃２）及び絞り羽根１００ｊ＋１（＃３）の順で重ねられた羽根の重なり順（＃１~＃３）が崩れることがない。
上記したオーバーラップは、図６（ａ）に示すようなフル開口状態から図６（ｂ）に至る過程においても、その逆の過程においても同様に保証される。このため、絞りを調節する過程全般に渡り、当該漏光防止羽根２００ｊの漏光防止羽根延設部２５０と、当該漏光防止羽根２００ｊの上に重ねられた絞り羽根１００ｊ＋１とをオーバーラップさせ続けることができる。
したがって、絞り羽根１００ｊ＋１（＃３）が当該漏光防止羽根２００ｊ（＃２）から外れ落ちて当該漏光防止羽根２００ｊ（＃２）と同じ階層に属することとなったり、絞り羽根１００ｊ＋１（＃３）が当該漏光防止羽根２００ｊ（＃２）の下に潜り込んで羽根の重なる順番が入れ替わることを防止できる。
このようにして実施形態１に係る絞り装置１０によれば、絞り羽根１００及び漏光防止羽根２００の重なり順を維持することができる。
【００５６】
４．実施形態１に係る絞り装置１０のその他の詳細な構造
（１）第１固定ボス１２０を内周側に配置する構造
図３及び図４に示すように、実施形態１に係る絞り装置１０において、第１固定ボス１２０及び第１孔４０１ｊは、光軸ＯＡとの距離が、第２固定ボス２２０及び第２孔４０２ｊの光軸ＯＡとの距離よりも短い位置に配置されている。すなわち、第１固定ボス１２０及び第１孔４０１ｊの方が、第２固定ボス２２０及び第２孔４０２ｊよりも内周側に配置されている。
【００５７】
第１固定ボス１２０及び第１孔４０１ｊが配置される位置は、換言すると、絞り羽根１００の回転軸が配置される位置である。
ここで、フル開放状態の位置と最小絞り状態との間を回転する絞り羽根１００の回転角に注目する。かかる回転角は、一般に、絞り羽根１００の回転軸を光軸ＯＡに近づけて配置するほど大きくなる。絞り羽根１００の回転角が大きくなると、絞り羽根１００の駆動にあたっては、一般に、第１固定ボス１２０、第１孔４０１、移動ボス１３０、駆動環３００の第１カム溝３３０等の位置・寸法等の製造上のバラツキの影響を受けづらくなる。
こうしたことから、第１固定ボス１２０及び第１孔４０１ｊを、光軸ＯＡとの距離が、第２固定ボス２２０及び第２孔４０２ｊの光軸ＯＡとの距離よりも短い位置に配置すること、すなわち、絞り羽根１００の回転軸を光軸ＯＡに近づけて配置することにより、全体として精度の高い絞り開口を実現することができる。
【００５８】
また、一般に、絞り羽根１００の回転軸を配置する位置を、光軸ＯＡから遠くすればするほど、絞り羽根１００の長さは長くする必要がある。
こうしたことから、絞り羽根１００の回転軸を光軸ＯＡに近づける（第１固定ボス１２０及び第１孔４０１ｊを、第２固定ボス２２０及び第２孔４０２ｊよりも光軸ＯＡに近い位置に配置する）ことにより、絞り羽根１００の長さの短縮化を図ることができる。絞り羽根１００の長さの短縮化を図ることにより、絞り羽根１００の回転時の慣性を小さくでき、回転精度や速度を向上できる。また、絞り装置１０の小型化を図ることができる。
【００５９】
（２）第１固定ボス１２０及び第１孔４０１ｊと、第２固定ボス２２０及び第２孔４０２ｊとを同一径方向に配置する構造
図３及び図４に示すように、実施形態１に係る絞り装置１０において、第１固定ボス１２０及び第１孔４０１ｊと、第２固定ボス２２０及び第２孔４０２ｊとは、光軸ＯＡから径方向（ｒ方向）に延びる同一直線上に配置されている。すなわち、光軸ＯＡ、第１固定ボス１２０及び第１孔４０１ｊと、第２固定ボス２２０及び第２孔４０２ｊとは同一直線上に配置されている。
【００６０】
このような構成によれば、一対の第１固定ボス及び第１孔４０１ｊと、第２固定ボス及び第２孔４０２ｊとが占有する角度（第１固定ボス及び第１孔４０１ｊと光軸ＯＡとを結ぶ線と第２固定ボス及び第２孔４０２ｊと光軸ＯＡとを結ぶ線との間でなす角度。）を最小とすることができる。つまり、かかる占有する角度を０°とすることができる。
上記した占有する角度が最小となるため、光軸ＯＡの周囲上に、より多くの対数の第１固定ボス１２０及び第１孔４０１ｊ並びに第２固定ボス２２０及び第２孔４０２ｊを配置することが可能となり、設計の自由度を高めることができる。
また、このような構成となっているため、絞り装置１０の加工及び検査を行い易い絞り装置を提供することができる。例えば、収容体４００に、光軸ＯＡを基準として、第１孔４０１ｊ及び第２孔４０２ｊの加工を行う場合、第１孔４０１ｊを加工した後、光軸ＯＡを中心とした角度を変更せずに径方向のみを変更して（加工用のヘッド等をｒ方向にシフトして。）第２孔４０２ｊの加工を行えばよく、角度の変更というステップを行わずに加工を続けることができる。検査においても同様の作用・効果を奏することができる。
【００６１】
（３）絞り羽根１００の外周縁を切り欠いた凹部１１４
図３及び図４に示すように、実施形態１に係る絞り装置１０において、絞り羽根１００の外側輪郭１１５には、絞り羽根１００が絞り開口の開口径を最大とする位置に移動させられたときに、前の一対をなす絞り羽根１００ｊ−１《図４（ａ）の二点鎖線参照。》及び漏光防止羽根２００ｊ−１（図示を省略。）についての移動ボス１３０’を内側に配置するように切り欠いた凹部１１４が設けられている。
【００６２】
絞り羽根１００の幅をどのように設定するかは絞り装置の設計にも依る。設計の仕方に依っては、当該絞り羽根１００の外側輪郭１１５が、隣接する別の一対をなす絞り羽根及び漏光防止羽根についての移動ボスと、平面的なレイアウトにおいて干渉する場合がある。このような干渉が起きそうな場合には、移動ボスを外側輪郭１１５から逃がすようにして、移動ボスを更に径方向（ｒ方向）にシフトさせた位置に配置するという設計も検討できる。しかし、この場合には移動ボスをシフトさせた分、絞り装置は大型化することとなる。
一方、実施形態１においては、絞り羽根１００の外側輪郭１１５において凹部１１４を設けることにより、当該一対をなす絞り羽根１００ｊ及び漏光防止羽根２００ｊのうちの当該絞り羽根１００と、前の一対をなす絞り羽根１００ｊ−１及び漏光防止羽根２００ｊ−１（図示を省略。）についての移動ボス１３０’と、の干渉を避けることができる。ひいては絞り装置の大型化を抑えることができる。ちなみに、絞り羽根１００に形成する凹部１１４の大きさは、複数の絞り羽根１００の協働により絞り開口の開口径を最も絞った際に、絞り羽根１００と隣接する次の一対をなす絞り羽根１００の凹部１１４との間に隙間が生じない程度の大きさにすることが好ましい。仮に凹部１１４を大きくすると、絞り開口の開口径を絞った際に、絞り羽根１００と次の一対を成す絞り羽根１００の凹部１１４との間に隙間が生じると、漏光の発生源となる。また、凹部１１４が漏光の原因となった場合、その隙間を埋めるために漏光防止羽根２００を巨大化させる必要が生じ、スペース上の制約により成り立たない可能性が生じるためである。
【００６３】
（４）第１カム溝３３０の傾斜方向
実施形態１に係る絞り装置１０において、図４（ａ）に示すように、第１カム溝３３０は、光軸ＯＡを中心とした円周方向に対して、絞り回転方向ＲＯＴに向かうにつれて光軸ＯＡから離れる方向に傾斜する角度に形成されている。
なお、駆動環３００の回転方向のうち、駆動環３００を回転させて第１カム溝３３０を移動させることによって、絞り羽根１００を光軸ＯＡに向けて移動せしめる方向を絞り回転方向ＲＯＴとする。
【００６４】
実施形態１に係る絞り装置１０では、このような傾斜をもつ第１カム溝３３０となっているため、駆動環３００が絞り回転方向ＲＯＴに回転すると、駆動環３００の第１カム溝３３０に嵌挿された移動ボス１３０の位置は、光軸ＯＡに近づく方向に移動することとなる。このように構成した場合には、第１カム溝３３０の傾斜方向を逆の傾斜にする構成に比べて第１カム溝３３０の長さを短くすることができる。
このため、第１カム溝３３０の数を増やすことがより容易となる。したがって、絞り羽根の枚数を更に増加させやすい絞り装置を提供することができる。
【００６５】
（５）第１カム溝３３０及び第２カム溝２３０の円周方向との間でなす角度
実施形態１に係る絞り装置１０は、図２（ａ）、図４（ａ）等に示すように、第２カム溝２３０は、円周方向に対してなす角度を、第１カム溝３３０の円周方向に対してなす角度に比べて大きく形成されている。すなわち、第２カム溝２３０は円周方向に対して角度が大きく（深く）、第１カム溝３３０は円周方向に対して角度が小さく（浅く）形成されている。
【００６６】
このため、第２カム溝２３０のトラック（移動ボス１３０の移動経路）を、第１固定ボス１２０を中心に移動ボス１３０が回動する際に描く円弧に、より近似させることができる。したがって、第２カム溝２３０が円周方向に対して角度が小さい（浅い）場合（第１カム溝３３０の円周方向に対してなす角度以下である場合）に比べ、第２カム溝２３０と移動ボス１３０とが互いに円周方向で当接し合う力を小さくでき、絞り羽根１００および漏光防止羽根２００の回動を円滑に行わせることができる。
【００６７】
（６）第１カム溝３３０及び第２カム溝２３０の長さ
実施形態１に係る絞り装置１０は、図４に示すように、第２カム溝２３０を延べた長さは、第１カム溝３３０を延べた長さよりも短い。
このような構成をとることにより、第１カム溝３３０を可能な限り駆動環３００の幅一杯に近いほどに設けることができ、狭い幅の駆動環３００を有効に用いながら羽根を内側方向に移動させる量（ストローク量）を可能な限り稼ぐことができる。
また、上記のような絞り装置１０によれば、必要最小限の長さの第２カム溝２３０を設けることで足りるため、漏光防止羽根２００もコンパクトに形成することができ、絞り装置１０の小型化に資することができる。
【００６８】
（７）絞り羽根１００の外側輪郭１１５と漏光防止羽根２００との重なり合い
第２方向を上と定義したときに、「当該一対をなす絞り羽根１００ｊ及び漏光防止羽根２００ｊ」の当該絞り羽根１００ｊ、「当該一対をなす絞り羽根１００ｊ及び漏光防止羽根２００ｊ」の当該漏光防止羽根２００ｊ、当該一対をなす絞り羽根１００ｊ及び漏光防止羽根２００ｊの隣に位置する「次の一対をなす絞り羽根１００ｊ＋１及び漏光防止羽根２００ｊ＋１」の絞り羽根１００ｊ＋１、並びに、「次の一対をなす絞り羽根１００ｊ＋１及び漏光防止羽根２００ｊ＋１」の漏光防止羽根２００ｊ＋１が、この順番で上に重ねられるようにして配置されている（図３、図６等参照。）。
そして、絞り装置を光軸ＯＡに沿って視たときに、「次の一対をなす絞り羽根１００ｊ＋１及び漏光防止羽根２００ｊ＋１」の絞り羽根１００ｊ＋１の外側輪郭１１５の一部が、「当該一対をなす絞り羽根１００ｊ及び漏光防止羽根２００ｊ」の当該漏光防止羽根２００ｊと常に重なり合うように絞り装置１０は構成されている。
例えば図６においても、絞り羽根１００の外側輪郭１１５が漏光防止羽根２００と「常に重なり合う」ものであることが把握できる。すなわち、絞り装置がフル開放状態の際には、外側輪郭１１５のうち絞り羽根１００ｊ＋１の先端側（第１固定ボス１２０とは反対側）が漏光防止羽根２００ｊと重なり合っており、最小絞り状態の際には、外側輪郭１１５のうち絞り羽根１００ｊ＋１の第１固定ボス１２０の側が漏光防止羽根２００ｊと重なり合っており、それらの中間状態のときにも絞り羽根１００は漏光防止羽根２００と重なり合っている。
なお、絞り羽根１００の「外側輪郭１１５」とは、絞り開口の開口径を最大（フル開放状態）にして絞り羽根１００を光軸ＯＡに沿って視たとき、絞り羽根１００の輪郭のうち光軸ＯＡからの距離が遠い側の輪郭をいう。
【００６９】
また、絞り開口の開口径ＡＤが最小となった際には、絞り羽根１００ｊ＋１の外側輪郭１１５の一部が、「当該一対をなす絞り羽根１００ｊ及び漏光防止羽根２００ｊ」の当該漏光防止羽根２００ｊの漏光防止羽根延設部２５０と、重なり順を維持したまま重なり合うように絞り装置１０は構成されている《図６（ｂ）参照。》。
【００７０】
実施形態１に係る絞り装置１０においては、「次の一対をなす絞り羽根１００ｊ＋１及び漏光防止羽根２００ｊ＋１」の絞り羽根１００ｊ＋１の外側輪郭１１５の一部は、「当該一対をなす絞り羽根１００ｊ及び漏光防止羽根２００ｊ」の当該漏光防止羽根２００ｊと常に重なり合うものとなっている。このため、絞り羽根１００ｊ＋１の外側輪郭１１５は当該漏光防止羽根２００ｊの範囲内に留まり、絞り羽根１００ｊ＋１が当該漏光防止羽根２００ｊから外れ落ちて当該漏光防止羽根２００ｊと同じ階層に属することとなったり、絞り羽根１００ｊ＋１が当該漏光防止羽根２００ｊの下に潜り込んで羽根の重なる順番が入れ替わることを防止できる。
また、羽根の順番が最も入れ替わり易い状態である絞り開口の開口径が最小となった際（最小絞り羽根状態）でも、実施形態１に係る絞り装置１０では、絞り羽根１００ｊ＋１の外側輪郭１１５の一部が、「当該一対をなす絞り羽根１００ｊ及び漏光防止羽根２００ｊ」の当該漏光防止羽根２００ｊの漏光防止羽根延設部２５０と重なり合うものとなっている。このため、絞り羽根１００ｊ＋１の外側輪郭１１５が当該漏光防止羽根２００ｊの漏光防止羽根延設部２５０の範囲内に留まり、絞り羽根１００ｊ＋１が当該漏光防止羽根２００ｊから外れ落ちて当該漏光防止羽根２００ｊと同じ階層に属することとなったり、絞り羽根１００ｊ＋１が当該漏光防止羽根２００ｊの下に潜り込んで羽根の重なる順番が入れ替わること防止できる。
このようにして実施形態１に係る絞り装置１０によれば、絞り羽根１００及び漏光防止羽根２００の重なり順を維持することができる。
【００７１】
［実施形態２］
次に実施形態２に係る絞り装置１０ａを、図７及び図８を用いて説明する。
図７は、実施形態２に係る絞り装置１０ａの要部を説明するために示す斜視図である。図７においては、「当該一対をなす絞り羽根１００ｊ及び漏光防止羽根２００ｊ」、「当該一対をなす絞り羽根１００ｊ及び漏光防止羽根２００ｊ」の隣に位置する次の一対をなす絞り羽根１００ｊ＋１及び漏光防止羽根２００ｊ＋１、並びに、中間羽根２８０ｊを示している。また、駆動環３００及び収容体４００はこれらの羽根に対応する部分のみを取り出して示している。その他の構成要素については図示を省略している。なお、符号２１２は第２羽根部２１０の外周縁を示す。
図８は、実施形態２に係る絞り装置１０ａの作用・効果を説明するために示す平面図である。図８（ａ）は、絞り開口の開口径を最大にした状態（フル開放状態）を示しており、図８（ｂ）は、絞り開口の開口径を最小にした状態（最小絞り状態）を示している。
なお、図８（ａ）及び図８（ｂ）においては、「当該一対をなす絞り羽根１００ｊ及び漏光防止羽根２００ｊ」、「当該一対をなす絞り羽根１００ｊ及び漏光防止羽根２００ｊ」の隣に位置する「次の一対をなす絞り羽根１００ｊ＋１及び漏光防止羽根２００ｊ＋１」のうちの絞り羽根１００ｊ＋１、並びに、中間羽根２８０ｊのみを図示しており、他の絞り羽根、漏光防止羽根等については図示を省略している。
【００７２】
実施形態２に係る絞り装置１０ａは、基本的には実施形態１に係る絞り装置１０と同様の構成を有するが、漏光防止羽根延設部２５０に代えて／加えて中間羽根２８０を備える点において実施形態１に係る絞り装置１０とは異なる。
【００７３】
１．実施形態２に係る絞り装置１０ａの構成
（１）中間羽根２８０ｊ
実施形態２に係る絞り装置１０ａは、図７に示すように、漏光防止羽根２００ｊと絞り羽根１００ｊ＋１との中間に配置される中間羽根２８０ｊを更に備える（ｊはインデックス用の変数であり、１以上の整数が代入される。以下の説明において、中間羽根２８０ｊを単に中間羽根２８０と表記して、変数ｊを付すのを省略して説明することがある。）。
なお、ここでの「中間」とは第２方向に沿った羽根の重ね合わせの順番の観点でみたときの中間を指す。
中間羽根２８０は、如何なる材料で構成してもよいが、他の構成要素（絞り羽根１００及び漏光防止羽根２００）と合わせて滑らかに摺動することができる材料からなっている滑りやすいものが好ましい。
【００７４】
中間羽根２８０は、絞り羽根１００及び漏光防止羽根２００の動きを干渉しないようにして収容体４００に対し固定されている。
中間羽根２８０は、少なくとも絞り装置１０ａがフル開口状態の際には、光軸ＯＡに沿って視て、収容体４００の幅の内に収められている必要がある。絞り開口が絞り方向に向かう過程においては、絞り口径を阻害しない範囲で収容体４００の幅の外に飛び出していても構わない。しかしながら、中間羽根２８０は収容体４００に対して固定されていることがより好ましい。
【００７５】
次に中間羽根２８０の固定方法について説明する。
例えば、図７に示すように、まず、中間羽根２８０において、第３平面板２８２に対し絞り羽根１００ｊ＋１の第１固定ボス１２０に対応した位置に第１固定ボス１２０の直径よりも十分に大きい内径を有するバカ穴２８１を開けつつ、絞り羽根１００ｊの移動ボス１３０の移動経路（軌道）が描く曲線／直線に対応するように移動ボス１３０の軌道と同一の形状を有する第３カム溝２８５を設ける。
そうした上で、絞り羽根１００ｊ＋１の第１固定ボス１２０、中間羽根２８０のバカ穴２８１及び収容体４００の第１孔４０１ｊ＋１に、より共締めするようにして、中間羽根２８０を収容体４００に対し一端を固定する。複数の羽根が組上げられる過程で、絞り羽根１００ｊの移動ボス１３０は、漏光防止羽根２００ｊの第２カム溝２３０のみならず、中間羽根２８０の第３カム溝２８５にも嵌挿される。中間羽根２８０の第３カム溝２８５が上記移動ボス１３０によって規制されるため、中間羽根２８０の他端も実質的に収容体４００に固定されることとなる。
上記のような構成によれば、追加的なボス、ネジ等を用いることなく、既存の構成要素（第１固定ボス１２０及び移動ボス１３０）を活用して実質的に中間羽根２８０を収容体４００に対して固定することができる。
なお、ここでの中間羽根２８０の固定は、概ね固定されていれば足り、多少のガタ（寸法上のマージン）があってもよい。例えば、第３カム溝２８５に若干のガタを設けることにより、移動ボス１３０の移動経路（軌道）がばらついたとしても、第３カム溝２８５が移動ボス１３０の動きを干渉したりデッドロックを惹き起すことを防止することができる。
【００７６】
（２）全体構成
ここで、第２方向を上と定義したときに、「当該一対をなす絞り羽根１００ｊ及び漏光防止羽根２００ｊ」の当該絞り羽根１００ｊ、「当該一対をなす絞り羽根１００ｊ及び漏光防止羽根２００ｊ」の当該漏光防止羽根２００ｊ、中間羽根２８０ｊ、「当該一対をなす絞り羽根１００ｊ及び漏光防止羽根２００ｊ」の隣に位置する「次の一対をなす絞り羽根１００ｊ＋１及び漏光防止羽根２００ｊ＋１」の絞り羽根１００ｊ＋１、並びに、「次の一対をなす絞り羽根１００ｊ＋１及び漏光防止羽根２００ｊ＋１」の漏光防止羽根２００ｊ＋１が、この順番で上に重ねられるようにして配置されている。
そして、絞り装置１０ａを光軸ＯＡに沿って視たときに、中間羽根２８０ｊが、「当該一対をなす絞り羽根１００ｊ及び漏光防止羽根２００ｊ」の当該漏光防止羽根２００ｊと常に重なり合うように、絞り装置１０ａは構成されている。且つまた、中間羽根２８０ｊが、「次の一対をなす絞り羽根１００ｊ＋１及び漏光防止羽根２００ｊ＋１」の絞り羽根１００ｊ＋１と常に重なり合うように、絞り装置１０ａは構成されている《図８（ａ）及び図８（ｂ）も併せて参照。》。
なお、実施形態２に係る絞り装置１０ａにおいても、実施形態１の絞り羽根１００、第２カム溝２３０を含む漏光防止羽根２００、駆動環３００、収容体４００等を同様に備える。よって、［実施形態１］におけるこれらの構成要素の説明をここで援用し、［実施形態２］における説明を省略する。
【００７７】
２．実施形態２に係る絞り装置１０ａの作用・効果
実施形態２に係る絞り装置１０ａにおいては、漏光防止羽根２００ｊと絞り羽根１００ｊ＋１との中間に配置される中間羽根２８０を更に備えており、中間羽根２８０は、「当該一対をなす絞り羽根１００ｊ及び漏光防止羽根２００ｊ」の当該漏光防止羽根２００ｊと常に重なり合うように構成されている。
この中間羽根２８０を導入することにより、図８（ｂ）に示すように、例えば絞り装置１０ａを最小絞り状態としたときにおいても、「当該一対をなす絞り羽根１００ｊ（＃１）及び漏光防止羽根２００ｊ（＃２）」の当該漏光防止羽根２００ｊ（＃２）とその上の階層に属する中間羽根２８０（＃３）とは、第３領域ＲＧ３においてオーバーラップすることとなる。このように、中間羽根２８０ｊ（＃３）と当該漏光防止羽根２００ｊ（＃２）とが重なり合う領域が確保されるため、中間羽根２８０ｊ（＃３）は必ず当該漏光防止羽根２００ｊ（＃２）の上の階層に属することができる。
また、中間羽根２８０ｊ（＃３）は、「次の一対をなす絞り羽根１００ｊ＋１（＃４）及び漏光防止羽根２００ｊ＋１」の絞り羽根１００ｊ＋１（＃４）と常に重なり合うように構成されている。
例えば絞り装置１０ａを最小絞り状態としたときにおいても、中間羽根２８０ｊ（＃３）とその上の階層に属する絞り羽根１００ｊ＋１（＃４）とは、第４領域ＲＧ４においてオーバーラップすることとなる《図８（ｂ）参照。》。このように絞り羽根１００ｊ＋１（＃４）と中間羽根２８０ｊ（＃３）とが重なり合う領域が確保されるため、絞り羽根１００ｊ＋１（＃４）は必ず中間羽根２８０ｊ（＃３）の上の階層に属することができる。
このようにして、下から上に絞り羽根１００ｊ（＃１）、漏光防止羽根２００ｊ（＃２）、中間羽根２８０ｊ（＃３）、絞り羽根１００ｊ＋１（＃４）の順で重ねられた羽根の重なり順（＃１〜＃４）を維持することができる。
【００７８】
上記したオーバーラップは、図８（ａ）に示すようなフル開口状態から図８（ｂ）に至る過程においても、その逆の過程においても同様に保証される。
このように中間羽根２８０ｊ（＃３）を介して、絞り羽根１００ｊ＋１（＃４）は必ず当該漏光防止羽根２００ｊ（＃２）の上方の階層に属することが約束されることから、実施形態２に係る絞り装置１０ａによれば、絞り羽根１００及び漏光防止羽根２００の重なり順を維持することができる。
【００７９】
なお、実施形態２に係る絞り装置１０ａは、漏光防止羽根延設部２５０に代えて／加えて中間羽根２８０を備える点以外の構成においては、実施形態１に係る絞り装置１０と同様の構成を有する。そのため、実施形態１に係る絞り装置１０が有する効果のうち該当する効果を同様に有する。
【００８０】
［実施形態３］
図９は、実施形態３に係るレンズ鏡筒２０及び実施形態４に係る撮像装置３０又は投影装置３５を説明するために示す模式図である。
【００８１】
実施形態３に係るレンズ鏡筒２０は、図９に示すように、実施形態１に係る絞り装置１０と、複数のレンズ２４とが収容されている。
実施形態３に係るレンズ鏡筒２０は、実施形態１に係る絞り装置１０を備えているため、大型化が抑えられると共に、撮像状態が好適なレンズ鏡筒２０の提供が可能となる。
なお、実施形態３において、実施形態１に係る絞り装置１０に替えて、実施形態２に係る絞り装置１０ａを適用してもよい。
【００８２】
［実施形態４］
実施形態４に係る撮像装置３０は、図９に示すように、実施形態１に係る絞り装置１０、又は、実施形態３に係るレンズ鏡筒２０と、撮像装置本体３２とを備える。実施形態４に係る撮像装置３０は、例えばカメラ等に適用することができる。
また、実施形態４に係る投影装置３５は、図９に示すように、実施形態１に係る絞り装置１０、又は、実施形態３に係るレンズ鏡筒２０と、投影装置本体３７とを備える。実施形態４に係る投影装置３５は、例えばプロジェクタ等に適用することができる。
【００８３】
実施形態４に係る撮像装置３０又は投影装置３５は、実施形態１に係る絞り装置１０、又は、実施形態３に係るレンズ鏡筒２０を備えているため、大型化が抑えられると共に、撮像状態が好適な撮像装置３０、又は、投影状態が好適な投影装置３５の提供が可能となる。
なお、実施形態４において、実施形態１に係る絞り装置１０に替えて、実施形態２に係る絞り装置１０ａを適用してもよい。
【００８４】
以上、本発明を上記の実施形態に基づいて説明したが、本発明は上記の実施形態に限定されるものではない。その趣旨を逸脱しない範囲において実施することが可能であり、例えば、次のような変形も可能である。
【００８５】
（１）上記実施形態において記載した構成要素の数、材質、形状、位置、大きさなどは例示であり、本発明の効果を損なわない範囲において変更することが可能である。
【００８６】
（２）実施形態１に係る絞り装置１０及び実施形態２に係る絞り装置１０ａは、応用先としてカメラ等の撮像装置を念頭に置いて説明したが、これに限られるものではない。例えばプロジェクタ等の投影装置においても応用可能である。
【００８７】
（３）実施形態１及び実施形態２において、第１固定ボス１２０、第２固定ボス２２０及び移動ボス１３０として挙げられた「ボス」は、一定の半径を有する円筒（円柱）状をなしているがこれに限られるものではない。第１固定ボス１２０及び第２固定ボス２２０にあっては回動の軸となりうる形状であればよく、また、移動ボス１３０は第１カム溝３３０及び第２カム溝２３０に嵌挿し力を伝えうるものであればよく、例えば、半径がほぼ０のリード線状のもの、円錐状のもの、きのこ状のもの等であってもよい。
【００８８】
（４）実施形態１の絞り羽根１００については、図１〜図６のように、最小絞り状態になった際に、絞り羽根１００の先端が絞り装置１０の開口４１３内に位置するような構成の絞り羽根１００を例に示して説明した。しかしながら、本発明はこれに限定されるものではない。例えば、全体として長軸を有する長尺状をなし、長軸方向の他方側に絞り羽根延設部が設けられた絞り羽根１００ｂであってもよい（変形例１）。
【００８９】
図１０は、変形例１に係る絞り装置１０ｂを説明するために示す平面図である。図１０（ａ）は、絞り開口の開口径を最大にした状態（フル開放状態）の当該絞り羽根１００ｂ及び当該漏光防止羽根２００ｂを示しており、図１０（ｃ）は、絞り開口の開口径を最小にした状態（最小絞り状態）の当該絞り羽根１００ｂ、当該漏光防止羽根２００ｂ及び「当該絞り羽根１００ｂの第１固定ボス１２０からみて光軸ＯＡを挟んだ反対側に位置する」漏光防止羽根２００ｂｋを示している。図１０（ｂ）は、フル開放状態と最小絞り状態と中間状態における、絞り羽根１００ｂを示している。これらの他の絞り羽根、漏光防止羽根等については図示を省略している。
【００９０】
変形例１に係る絞り装置１０ｂの絞り羽根１００ｂは、図１０に示すように、全体として長軸を有する長尺状の第１平面板１０２からなる。
絞り羽根１００ｂにおいて、第１平面板１０２の長軸方向の一方側には第１固定ボス１２０が設けられ、他方側には絞り羽根延設部１５０が設けられている。
絞り羽根延設部１５０は、絞り開口の開口径が最大となったときの絞り開口の形状《略円形。例えば、図１（ｂ）参照。》の一部と略同一の形状にて形成された内周縁１５２を有する。
絞り羽根延設部１５０のうち、少なくとも内周縁１５２よりも外周側の一部は、常に収容体４００の内周縁である収容体内周縁４１５又は、常に駆動環３００の内周縁である駆動環内周縁３１５よりも外側に位置するように構成されている《図１０（ｂ）における第５領域ＲＧ５及び図１０（ｃ）における第６領域ＲＧ６参照。》。なおここでは、光軸ＯＡから遠ざかる方向を「外」とする（以下の変形例２及び変形例３においても同様。）。
絞り装置１０ｂを光軸ＯＡに沿って視たときに、当該絞り羽根１００ｂの絞り羽根延設部１５０の少なくとも一部は、当該絞り羽根１００ｂの第１固定ボス１２０からみて光軸ＯＡを挟んだ反対側に位置する漏光防止羽根２００ｂｋの上に常に重なるよう構成されている《図１０（ｃ）における第７領域ＲＧ７参照。》。
また、絞り開口の開口径が最大となった際には、当該絞り羽根１００ｂの絞り羽根延設部１５０の一部は、上記した反対側に位置する漏光防止羽根２００ｂｋの漏光防止羽根延設部２５０の上に重なるよう構成されている。
ここでいう「第１固定ボス１２０からみて光軸ＯＡを挟んだ反対側」は、厳密な意味での光軸ＯＡを中心に第１固定ボス１２０の１８０°反対の側である必要はなく、９０°を超える反対側の領域であればよい（以下の変形例２及び変形例３においても同様。）。
【００９１】
上記したように変形例１に係る絞り装置１０ｂにおいては、絞り羽根１００ｂに絞り羽根延設部１５０が設けられており、当該絞り羽根１００ｂの絞り羽根延設部１５０の少なくとも一部は、当該絞り羽根１００ｂの第１固定ボス１２０からみて光軸ＯＡを挟んだ反対側に位置する漏光防止羽根２００ｂｋの上に常に重なっており、絞り開口の開口径が最大となった際には、当該絞り羽根１００ｂの絞り羽根延設部１５０の一部は、反対側に位置する漏光防止羽根２００ｂｋの漏光防止羽根延設部２５０の上に重なるように構成されている。
このため、絞り羽根延設部１５０の先端１１６側が、当該絞り羽根１００ｂの第１固定ボス１２０からみて光軸ＯＡを挟んだ反対側に位置する漏光防止羽根２００ｂｋの下に潜り込んで羽根の重なる順番が入れ替わることを防止できる。よって、絞り羽根１００及び漏光防止羽根２００の重なり順を維持することができる。
【００９２】
また、上記したように変形例１に係る絞り装置１０ｂでは、絞り羽根延設部１５０のうち、少なくとも内周縁１５２よりも外周側の一部は、常に収容体４００の内周縁である収容体内周縁４１５又は、駆動環内周縁３１５よりも外側に位置するように構成されている。
このため、当該絞り羽根１００ｂについては、両持ち梁の如く、第１固定ボス１２０側と絞り羽根延設部１５０の先端１１６側とで収容体内周縁４１５又は、駆動環内周縁３１５に架けるようにして収容体４００又は、駆動環３００の開口を跨がせることができる。したがって、複数の絞り羽根の先端側が編み上がるようにして絞り開口に向けてせり上がるという現象を防止することができる。よって、絞り装置の外観上の品位を向上させることができる。
【００９３】
（５）実施形態２の絞り羽根１００については、図７〜図８のように、最小絞り状態になった際に、絞り羽根１００の先端が絞り装置１０ａの開口４１３内に位置するような構成の絞り羽根１００を例に示して説明した。しかしながら、本発明はこれに限定されるものではない。例えば、全体として長軸を有する長尺状をなし、長軸方向の他方側に絞り羽根延設部が設けられた絞り羽根１００ｃであってもよい（変形例２）。
【００９４】
図１１は、変形例２に係る絞り装置１０ｃを説明するために示す平面図である。図１１（ａ）は、絞り開口の開口径を最大にした状態（フル開放状態）を示しており、図１１（ｂ）は、絞り開口の開口径を最小にした状態（最小絞り状態）を示している。図１１（ｃ）は、当該絞り羽根１００ｃが、最小絞り状態からフル開放状態に向かう途上の状態を示している。図１１（ｄ）は、当該絞り羽根１００ｃが、図１１（ｃ）の状態から更にフル開放状態に向かった状態を示している。図において、説明に必要な羽根のみを示しており、他の絞り羽根、漏光防止羽根等については図示を省略している。
【００９５】
変形例２に係る絞り装置１０ｃの絞り羽根１００ｃ及び絞り羽根１００ｃｋは、図１１に示すように、全体として長軸を有する長尺状の第１平面板１０２からなる。
絞り羽根１００ｃ及び絞り羽根１００ｃｋにおいて、第１平面板１０２の長軸方向の一方側には第１固定ボス１２０が設けられ、他方側には絞り羽根延設部１５０が設けられている。
絞り羽根延設部１５０は、絞り開口の開口径が最大となったときの絞り開口の形状《略円形。例えば、図１（ｂ）参照。》の一部と略同一の形状にて形成された内周縁１５２を有する。
絞り羽根延設部１５０のうち、少なくとも内周縁１５２よりも外周側の一部は、常に収容体４００の内周縁である収容体内周縁４１５又は、常に駆動環３００の内周縁である駆動環内周縁３１５よりも外側に位置するように構成されている《図１１（ｂ）における第８領域ＲＧ８及び図１１（ｃ）における第１０領域ＲＧ１０参照。》。
絞り装置１０ｃを光軸ＯＡに沿って視たときに、絞り開口の開口径が最小となった際には、当該絞り羽根１００ｃの絞り羽根延設部１５０の一部は、当該絞り羽根１００ｃの第１固定ボス１２０からみて光軸ＯＡを挟んだ反対側に位置する漏光防止羽根２００ｃｋの上に重なるように構成されている《図１１（ｂ）における第９領域ＲＧ９参照。》。
また、絞り開口の開口径が最小から最大に遷移する過程《図１１（ｂ）〜図１１（ｄ）》において、当該絞り羽根１００ｃの絞り羽根延設部１５０の一部は、当該絞り羽根１００ｃの第１固定ボス１２０からみて光軸ＯＡを挟んだ反対側に位置する中間羽根２８０ｃｋの上に重なるように構成されている《図１１（ｄ）における第１１領域ＲＧ１１参照。》。
【００９６】
上記したように変形例２に係る絞り装置１０ｃにおいては、絞り羽根１００ｃにおいて絞り羽根延設部１５０が設けられており、絞り開口の開口径が最小（最小絞り状態）となった際には、当該絞り羽根１００ｃの絞り羽根延設部１５０の一部は、当該絞り羽根１００ｃの第１固定ボス１２０からみて光軸ＯＡを挟んだ反対側に位置する漏光防止羽根２００ｃｋの上に重なるように構成されている。
このため、絞り羽根延設部１５０の先端１１６側が、当該絞り羽根１００ｃの第１固定ボス１２０からみて光軸ＯＡを挟んだ反対側に位置する漏光防止羽根２００ｃｋの下に潜り込んで羽根の重なる順番が入れ替わることを防止できる。
また、上記したように絞り開口の開口径が最小から最大に遷移する過程において、当該絞り羽根１００ｃの絞り羽根延設部１５０の一部は、当該絞り羽根１００ｃの第１固定ボス１２０からみて光軸ＯＡを挟んだ反対側に位置する中間羽根２８０ｃｋの上に重なるように構成されている。換言すると、絞り開口の開口径が最小から最大に遷移する過程において、当該絞り羽根１００ｃの絞り羽根延設部１５０の一部が、当該絞り羽根１００ｃの第１固定ボス１２０からみて光軸ＯＡを挟んだ反対側に位置する漏光防止羽根２００ｃｋの上から《図１１（ｃ）における第１０領域ＲＧ１０参照。》、当該絞り羽根１００ｃの第１固定ボス１２０からみて光軸ＯＡを挟んだ反対側に位置する中間羽根２８０ｃｋの上に乗り移る《図１１（ｄ）における第１１領域ＲＧ１１参照。》ようにして重なるように構成されている。
このため、絞り羽根延設部１５０の先端１１６側が、当該絞り羽根１００ｃの第１固定ボス１２０からみて光軸ＯＡを挟んだ反対側に位置する中間羽根２８０ｃｋの更に下の階層の羽根、すなわち、かかる中間羽根２８０ｃｋの下の階層にある絞り羽根１００ｃｋ（図示を省略。）と同じ階層になること、又は、かかる絞り羽根１００ｃｋ（図示を省略。）の下に潜り込むことを防止できる。
このようにして、変形例２に係る絞り装置１０ｃによれば、絞り羽根１００及び漏光防止羽根２００の重なり順を維持することができる。
【００９７】
また、上記したように変形例２に係る絞り装置１０ｃでは、絞り羽根延設部１５０うち、少なくとも内周縁１５２よりも外周側の一部は、常に収容体４００の内周縁である収容体内周縁４１５又は、常に駆動環３００の内周縁である駆動環内周縁３１５よりも外側に位置するように構成されている。
このため、当該絞り羽根１００ｃについては、両持ち梁の如く、第１固定ボス１２０側と絞り羽根延設部の先端１１６側とで収容体内周縁４１５又は、駆動環内周縁３１５に架けるようにして収容体４００又は、駆動環３００の開口を跨がせることができる。したがって、複数の絞り羽根の先端側が編み上がるようにして絞り開口に向けてせり上がるという現象を防止することができる。よって、絞り装置の外観上の品位を向上させることができる。
【００９８】
（６）実施形態１及び実施形態２において、先端側が先細りとなっている絞り羽根１００を例に示して説明した。しかしながら、本発明はこれに限定されるものではない。例えば、先端側に凸部を有する形状の絞り羽根１００ｄであってもよい（変形例３）。
【００９９】
図１２は、変形例３に係る絞り装置１０ｄを説明するために示す平面図である。図１２（ａ）、絞り開口の開口径を最大にした状態（フル開放状態）の絞り羽根１００ｄを示しており、図１２（ｂ）は、絞り装置１０ｄをフル開放状態と最小絞り状態との間の中間の状態にしたときの絞り羽根）の絞り羽根１００ｄを示している。その他の絞り羽根、漏光防止羽根等については図示を省略している。
【０１００】
変形例３に係る絞り装置１０ｄの絞り羽根１００ｄは、図１２に示すように、全体として長軸を有する長尺状の第１平面板１０２からなる。
絞り羽根１００ｄにおいて、第１平面板１０２の長軸方向の一方側には第１固定ボス１２０が設けられ、他方側には絞り羽根延設部１５０が設けられている。
絞り羽根延設部１５０は、絞り開口の開口径が最大となったときの絞り開口の形状の一部と略同一の形状にて形成された内周縁１５２を有する。
絞り羽根延設部１５０には、常に収容体４００の内周縁である収容体内周縁４１５又は、常に駆動環３００の内周縁である駆動環内周縁３１５よりも外側に位置して収容体内周縁４１５又は、駆動環内周縁３１５に係合するように構成された係合用凸部１５４が更に設けられている。
【０１０１】
変形例３によれば、絞り羽根１００ｄにおいて設けられた絞り羽根延設部１５０において、常に収容体４００の内周縁である収容体内周縁４１５又は、常に駆動環３００の内周縁である駆動環内周縁３１５よりも外側に位置して収容体内周縁４１５又は、駆動環内周縁３１５に係合するように構成された係合用凸部１５４が更に設けられている。
このため、例えば、絞り開口の開口径が小さくなったときにおいても、絞り羽根１００ｄについては、両持ち梁の如く、第１固定ボス１２０側と係合用凸部１５４とで収容体内周縁４１５に架けるようにして収容体４００又は、駆動体３００の開口を跨がせることができる。したがって、複数の絞り羽根の先端側が編み上がるようにして絞り開口に向けてせり上がるという現象を防止することができる。よって、絞り装置の外観上の品位を向上させることができる。
【０１０２】
（７）実施形態２においては、中間羽根２８０にバカ穴２８１及び第３カム溝２８５を設けた上で、中間羽根２８０を収容体４００に固定する方法を例に示して説明した。しかしながら、本発明はこれに限定されるものではない。例えば、中間羽根自体に固定用のボスを設けるという方法を採ることもできる（変形例４及び変形例５）。
【０１０３】
図１３は、変形例４の中間羽根２８０ａ及び変形例５の中間羽根２８０ｂの固定方法を説明するために示す平面図である。図１３（ａ）は変形例４の中間羽根２８０ａを、図１３（ｂ）は変形例５の中間羽根２８０ｂをそれぞれ示している。図において説明に必要な中間羽根及び収容体のみ示しており、他の絞り羽根、漏光防止羽根等については図示を省略している。
【０１０４】
図１３（ａ）に示すように、中間羽根２８０ａにおいて、第３平面板２８２ａの一方側に第３固定ボス２８３を設けつつ、当該中間羽根２８０ａの下の階層に位置することとなる絞り羽根１００の移動ボス１３０の移動経路（軌道）が描く曲線／直線に対応するように第３カム溝２８５を設ける。一方で、収容体４００ａにおいても第３孔４０３ｊを開けておく。そうした上で、第３固定ボス２８３を第３孔４０３ｊに挿入しつつ、第３カム溝２８５に対し、当該中間羽根２８０ａの下の階層に位置することとなる絞り羽根１００の移動ボス１３０を嵌挿させる。このようにして、実質的に中間羽根２８０ａを収容体４００ａに対して固定することができる（変形例４）。
【０１０５】
また、図１３（ｂ）に示すように、中間羽根２８０ｂにおいて、第３平面板２８２ｂに第３固定ボス２８３及び第４固定ボス２８４を設ける。一方で、収容体４００ｂにおいても第３孔４０３ｊ及び第４孔４０４ｊを開けておく。そうした上で、第３固定ボス２８３を第３孔４０３ｊに、第４固定ボス２８４を第４孔４０４ｊに、それぞれ挿入して、中間羽根２８０ｂを収容体４００ｂに対して固定することができる（変形例５）。なお、固定ボスは３個以上設けるものであってもよい。
変形例５によれば、第３カム溝を導入せずに中間羽根２８０ｂを固定することができるため、他の絞り羽根の移動ボスによる第３カム溝を介した中間羽根の規制（実質的な固定）をしなくて済むため、他の絞り羽根の動作上の負荷を軽減することができる。このため、より円滑なより省エネルギーな羽根の駆動を実現することが期待できる。
【符号の説明】
【０１０６】
１０，１０ａ，１０ｂ，１０ｃ，１０ｄ，９００…絞り装置、２０…レンズ鏡筒、２４…レンズ、３０…撮像装置、３２…撮像装置本体、３５…投影装置、３７…投影装置本体、１００，１００ｂ，１００ｃ，１００ｃｋ，１００ｄ，１００ｊ，１００ｊ−１，１００ｋ，９１０，９１０ｊ…絞り羽根、１０２…第１平面板、１１０…第１羽根部、１１４…凹部、１１５，９１５…（絞り羽根の）外側輪郭、１１６…（絞り羽根の）先端、１２０，１２０'…第１固定ボス、１３０，１３０'…移動ボス、１５０…絞り羽根延設部、１５２…（絞り羽根延設部の）内周縁、１５４…係合用凸部、２００，２００ｂ，２００ｂｋ，２００ｃ，２００ｃｋ,２００ｊ，２００ｊ−１，２００ｂｋ，９２０，９２０ｊ…漏光防止羽根、２０２…第２平面板、２１０…第２羽根部、２２０…第２固定ボス、２３０…第２カム溝、２５０…漏光防止羽根延設部、２８０，２８０ａ，２８０ｂ，２８０ｃ，２８０ｃｋ，２８０ｊ，２８０ｋ…中間羽根、２８１…バカ穴、２８２，２８２ａ，２８２ｂ…第３平面板、２８３…第３固定ボス、２８４…第４固定ボス、２８５…第３カム溝、３００，９３０…駆動環、３１０…駆動環本体、３３０…第１カム溝、３１５…駆動環内周縁、３４０…回転レバー、４００，４００ａ，４００ｂ，９４０…収容体、４０１，４０１ｊ，４０１ｊ−１，９４１ｊ…第１孔、４０２，４０２ｊ，４０２ｊ−１，９４２ｊ…第２孔、４０３ｊ…第３孔、４０４ｊ…第４孔、４１０…外周壁、４１１…切欠部、４１３…開口、４１５…収容体内周縁、５００…カバー、９１１…絞り羽根本体、９１２，９１２'…絞り羽根固定ボス、９１３…絞り羽根移動ボス、９２１…漏光防止羽根本体、９２２，９２２'…漏光防止羽根固定ボス、９２３…漏光防止羽根移動ボス、９２８…（漏光防止羽根の）内周縁、９３３…カム溝
【図１】
2019113602.tif 000003
【図２】
2019113602.tif 000004
【図３】
2019113602.tif 000005
【図４】
2019113602.tif 000006
【図５】
2019113602.tif 000007
【図６】
2019113602.tif 000008
【図７】
2019113602.tif 000009
【図８】
2019113602.tif 000010
【図９】
2019113602.tif 000011
【図１０】
2019113602.tif 000012
【図１１】
2019113602.tif 000013
【図１２】
2019113602.tif 000014
【図１３】
2019113602.tif 000015
【図１４】
2019113602.tif 000016
【図１５】
2019113602.tif 000017